(57)【要約】【課題】デジタルカメラがデジタルテレビ等の表示装置に対して最適な画像表示を行うこと。【解決手段】検知回路４９ａはデジタルカメラ１に表示装置２が接続されると、表示装置２の表示解像度を検出し、その表示解像度に応じてＣＣＤ撮像素子２０の読み出し方式を変更する。そしてＣＣＤ撮像素子２０から得られる画像を解像度変換部２６において処理し、表示解像度に適合した表示用画像を生成する。また、画像再生時には、再生対象となる撮影画像のサイズに応じて表示装置２の表示解像度を変更し、表示装置２において高精細な再生表示を実現する。【選択図】　　　　図５
2004128587.tif 000002
【特許請求の範囲】
【請求項１】
撮像素子に蓄積された電荷を読み出すことにより、画像データを取得するデジタルカメラであって、
表示装置に対してライブビュー表示を行う表示画像出力手段と、
前記表示装置の表示解像度を検知し、前記表示解像度に応じて前記撮像素子の読み出し方式を変更する制御手段と、
を備えるデジタルカメラ。
【請求項２】
撮像素子によって被写体を撮影するデジタルカメラであって、
前記撮像素子から得られる画像を表示する表示手段と、
前記撮像素子から得られる画像のサムネイル画像を生成するサムネイル画像生成手段と、
前記サムネイル画像とともに、前記撮像素子から得られる画像を記録する記録手段と、
前記表示手段よりも高解像度の外部表示装置を接続可能な接続手段と、
を備え、
前記接続手段に対して前記外部表示装置が接続された場合、前記外部表示装置の表示解像度に適合させて表示用画像データを生成し、前記サムネイル画像を前記表示手段の表示解像度に適合させて生成するデジタルカメラ。
【請求項３】
撮影動作後に表示手段に対してアフタービュー表示を行うデジタルカメラであって、
外部表示装置を接続するための接続手段と、
前記接続手段に対して前記外部表示装置が接続された場合、前記外部表示装置の表示解像度に適合させてアフタービュー表示用の画像データを生成する表示画像生成手段と、
を備えるデジタルカメラ。
【請求項４】
撮影画像と、前記撮影画像のサムネイル画像とを含む画像ファイルに基づいて、画像の再生表示を行うデジタルカメラであって、
外部表示装置を接続するための接続手段と、
前記接続手段に対して前記外部表示装置が接続された場合、前記外部表示装置の表示解像度に基づいて、前記撮影画像及び前記サムネイル画像のうちから再生対象画像を選択し、表示用画像データを生成して出力する表示画像生成手段と、
を備えるデジタルカメラ。
【請求項５】
表示解像度を変更可能な外部表示装置に対して、表示用画像を出力可能なデジタルカメラであって、
前記外部表示装置に対して出力する表示用画像データを生成する表示画像生成手段と、
ユーザによる操作入力又は当該デジタルカメラの動作状態に応じて、前記外部表示装置における前記表示解像度を変更するための信号を、前記外部表示装置に対して出力する表示解像度変更手段と、
を備え、
前記表示画像生成手段は、前記表示解像度変更手段が前記外部表示装置に対して前記信号を出力した場合、前記信号によって規定される表示解像度に適合するように前記表示用画像データを生成して、前記外部表示装置に出力することを特徴とするデジタルカメラ。
【発明の詳細な説明】
【０００１】
【発明の属する技術分野】
本発明は、デジタルカメラにおいて画像の表示処理を行う際の画像表示技術に関する。
【０００２】
【従来の技術】
一般に市販されているデジタルカメラには、外部表示装置を接続するための接続端子が設けられているものが多く存在する。この種のデジタルカメラは、電子ビューファインダ（ＥＶＦ）や表示用の液晶表示部に表示される画像を、外部表示装置にも表示することができるように構成されており、接続端子から外部表示装置に対して映像信号（例えばＮＴＳＣ信号等）が出力される。
【０００３】
ところで、市場には、撮影画素数が３００万画素以上であるデジタルカメラも多く流通しているが、このような高画素デジタルカメラに外部表示装置を接続した場合、撮影画素数を活かした高精細な画像表示を行うことはできない。
【０００４】
そのため、近年の高精細な画像表示が可能なデジタル放送対応テレビ受像機（以下、デジタルテレビという。）の普及に伴い、デジタルテレビを接続するとともに、デジタルテレビに対してデジタルカメラの画素数を活かした画像表示を行うことの可能なデジタルカメラが出現しつつある（例えば、ビクター社デジタルスチルカメラＧＣ−Ｘ３、又は特許文献１）。
【０００５】
【特許文献１】
特開２０００−１３８８８９号公報
【０００６】
【発明が解決しようとする課題】
しかしながら、上記従来のデジタルテレビ対応デジタルカメラでは、以下のような課題があった。
【０００７】
まず、撮影待機状態におけるライブビュー表示においては、デジタルカメラからデジタルテレビに対して従来の映像フォーマットに変換した上で映像出力されるため、依然としてデジタルテレビの表示解像度を活かした高精細な画像表示を行うことができないという問題があった。
【０００８】
また、撮影によって得られた撮影画像を再生表示する場合、デジタルテレビが接続された際に、撮影画像データに対する縮小処理等を行って再生表示を行うため、再生表示の際の処理効率が悪く、再生指示を行っても直ちに再生表示されないという問題があった。
【０００９】
すなわち、従来のデジタルテレビ対応デジタルカメラでは、デジタルテレビに対して、デジタルカメラの動作状態等に応じた最適な画像表示を行うことができないという問題があった。
【００１０】
そこで、本発明は、上記課題に鑑みてなされたものであって、デジタルカメラがデジタルテレビにおいて最適な画像表示を行うことを可能にする技術の提供を目的とする。
【００１１】
【課題を解決するための手段】
上記目的を達成するために、請求項１に記載の発明は、撮像素子に蓄積された電荷を読み出すことにより、画像データを取得するデジタルカメラであって、表示装置に対してライブビュー表示を行う表示画像出力手段と、前記表示装置の表示解像度を検知し、前記表示解像度に応じて前記撮像素子の読み出し方式を変更する制御手段と、を備えて構成される。
【００１２】
請求項２に記載の発明は、撮像素子によって被写体を撮影するデジタルカメラであって、前記撮像素子から得られる画像を表示する表示手段と、前記撮像素子から得られる画像のサムネイル画像を生成するサムネイル画像生成手段と、前記サムネイル画像とともに、前記撮像素子から得られる画像を記録する記録手段と、前記表示手段よりも高解像度の外部表示装置を接続可能な接続手段と、を備え、前記接続手段に対して前記外部表示装置が接続された場合、前記外部表示装置の表示解像度に適合させて表示用画像データを生成し、前記サムネイル画像を前記表示手段の表示解像度に適合させて生成するように構成される。
【００１３】
請求項３に記載の発明は、撮影動作後に表示手段に対してアフタービュー表示を行うデジタルカメラであって、外部表示装置を接続するための接続手段と、前記接続手段に対して前記外部表示装置が接続された場合、前記外部表示装置の表示解像度に適合させてアフタービュー表示用の画像データを生成する表示画像生成手段と、を備えて構成される。
【００１４】
請求項４に記載の発明は、撮影画像と、前記撮影画像のサムネイル画像とを含む画像ファイルに基づいて、画像の再生表示を行うデジタルカメラであって、外部表示装置を接続するための接続手段と、前記接続手段に対して前記外部表示装置が接続された場合、前記外部表示装置の表示解像度に基づいて、前記撮影画像及び前記サムネイル画像のうちから再生対象画像を選択し、表示用画像データを生成して出力する表示画像生成手段と、を備えて構成される。
【００１５】
請求項５に記載の発明は、表示解像度を変更可能な外部表示装置に対して、表示用画像を出力可能なデジタルカメラであって、前記外部表示装置に対して出力する表示用画像データを生成する表示画像生成手段と、ユーザによる操作入力又は当該デジタルカメラの動作状態に応じて、前記外部表示装置における前記表示解像度を変更するための信号を、前記外部表示装置に対して出力する表示解像度変更手段と、を備え、前記表示画像生成手段は、前記表示解像度変更手段が前記外部表示装置に対して前記信号を出力した場合、前記信号によって規定される表示解像度に適合するように前記表示用画像データを生成して、前記外部表示装置に出力することを特徴としている。
【００１６】
【発明の実施の形態】
以下、本発明の実施の形態について図面を参照しつつ詳細に説明する。
【００１７】
＜１．第１の実施の形態＞
＜１−１．撮影システム＞
図１は本実施形態にかかる撮影システム１００の構成例を示す図である。図１に示すように撮影システム１００は、デジタルカメラ１と、デジタルテレビ等によって構成される高精細な画像表示が可能な表示装置２とが、データ送信用のケーブル３によって接続された構成となっており、デジタルカメラ１において取得される画像が表示装置２に対して表示可能なように構成される。
【００１８】
表示装置２は、その映像フォーマット（表示解像度）を変更可能なように構成されており、例えば、５２５ｉ、５２５ｐ、７５０ｐ、１１２５ｉ、１１２５ｐの５種類の映像フォーマットのうちから一の映像フォーマットを選択設定して画像表示動作を行うように構成される。例えば５２５ｉ又は５２５ｐの映像フォーマットが選択されている場合には、表示装置２における表示解像度は横７２０×縦４８０となる。
【００１９】
また、表示装置２がデジタルカメラ１に接続されている場合、表示装置２はデジタルカメラ１に対して映像フォーマットを伝達するように構成される。
【００２０】
＜１−２．デジタルカメラの構成＞
次にデジタルカメラ１の構成について説明する。図２、図３及び図４は、デジタルカメラ１の外観構成を示す図であり、図２は正面図、図３は上面図、図４は背面図に相当する。これらの図は必ずしも三角図法に則っているものではなく、デジタルカメラ１の外観を例示することを主眼としている。
【００２１】
デジタルカメラ１の正面側には撮影レンズ１８が設けられる。この撮影レンズ１８はズーム機能を有しており、ズームリング１８ａを手動操作で回動させることによって撮影倍率の変更を行うことができるように構成される。
【００２２】
また、デジタルカメラ１のグリップ部１ａの上部にはシャッタボタン（レリーズボタン）９が設けられており、該シャッタボタン９はユーザによる半押し状態（Ｓ１状態）と全押し状態（Ｓ２状態）とを区別して検出可能な２段階押し込みスイッチとなっており、自動合焦（ＡＦ）モードが設定されている場合にはＳ１状態のときに自動合焦制御を開始し、Ｓ２状態のときに記録用画像を撮影するための本撮影動作を開始する。
【００２３】
また、グリップ部１ａの上部には正逆の２方向（つまり左右双方向）に回動可能なダイヤル操作部１０が設けられており、ユーザがデジタルカメラ１を構えた状態でもダイヤル操作部１０の回動操作を行いやすくなっている。
【００２４】
また、デジタルカメラ１の上面には、「撮影モード」と「再生モード」と「設定モード」を切替設定するためのモード切替えダイアル１２が設けられている。撮影モードは被写体の撮影を行って画像データの生成を行うモードであり、撮影モードは静止画を記録するための静止画記録モード又は動画像を記録するための動画記録モードのいずれかを選択可能なようになっている。また、再生モードはメモリカード９０に記録された画像データを、デジタルカメラ１の背面側に設けられた液晶表示部（以下、ＬＣＤという。）５等に再生表示するモードである。
【００２５】
デジタルカメラ１の背面には、撮影動作前の撮影待機状態におけるライブビュー表示、撮影動作後のアフタービュー表示、及び、記録画像の再生表示等を行うための、電子ビューファインダ（以下、ＥＶＦという。）４と、ＬＣＤ５とが設けられている。ＥＶＦ４及びＬＣＤ５では、それぞれカラー画像の表示が行われる。なお、以下の説明においてはＥＶＦ４及びＬＣＤ５は横３２０×縦２４０の表示画素数を有する場合を例示する。
【００２６】
また、デジタルカメラ１の背面にはメニューボタン６が設けられており、例えば、撮影モード時にメニューボタン６が押下されると、各種撮影条件を設定するための各種メニュー画面がＬＣＤ５に表示される。また、デジタルカメラ１の背面には、ＬＣＤ５における表示カーソルを４方向に移動させるための十字カーソルボタン７ａ〜７ｄ、及び十字カーソルボタンの中央部に設けられる決定ボタン７ｅで構成されるコントロールボタン７が設けられる。これらメニューボタン６及びコントロールボタン７を用いて各種撮影パラメータの設定操作が行われる。各種撮影パラメータの設定状態はデジタルカメラ１の上面側に配置されるデータパネル８に表示される。また、デジタルカメラ１の背面には、ライブビュー表示時に、ＥＶＦ４においてライブビュー表示を行うか又はＬＣＤ５においてライブビュー表示を行うかを切り替えるための切替ボタン１３が設けられている。
【００２７】
また、デジタルカメラ１の背面下部には、表示装置２に対して表示用画像を出力するために、いわゆるＤ端子と呼ばれるような接続端子１５が設けられており、図１に示すケーブル３は接続端子１５に接続される。
【００２８】
さらに、デジタルカメラ１の側面には、デジタルカメラ１の設定状態に関する操作を行うためのファンクション操作部１１が設けられている。このファンクション操作部１１は、中央部に設けられたファンクションボタン１１ａと、回動可能なように設けられたファンクションダイヤル１１ｂとを備えて構成される。また、デジタルカメラ１の側面には、着脱自在な記録媒体であるメモリカード９０の挿入装着部が設けられており、撮影動作によって得られる撮影画像データはこの挿入装着部にセットされるメモリカード９０に記録される。
【００２９】
次に、デジタルカメラ１の内部構成について説明する。図５は、デジタルカメラ１の内部機能を示すブロック図である。
【００３０】
撮影レンズ１８はレンズ駆動部４１によって駆動され、ＣＣＤ撮像素子２０に結像される像の合焦状態を変化させるように構成される。自動合焦（ＡＦ：オートフォーカス）設定時には全体制御部３０において画像から自動的に撮影レンズ１８のレンズ駆動量が決定され、このレンズ駆動量に基づいて撮影レンズ１８が駆動されるのに対し、手動合焦（ＭＦ：マニュアルフォーカス）設定時にはユーザによるコントロールボタン７の操作量に応じてレンズ駆動量が決定され、このレンズ駆動量に基づいて撮影レンズ１８が駆動される。
【００３１】
ＣＣＤ撮像素子２０は被写体像を撮影して電子的な画像信号を生成する撮像手段として機能するものであり、例えば横２５６０×縦１９２０個の画素を有し、撮影レンズ１８によって結像された被写体の光像を、画素毎にＲ（赤），Ｇ（緑），Ｂ（青）の色成分の画像信号（各画素で受光された画素信号の信号列からなる信号）に光電変換して出力する。
【００３２】
タイミングジェネレータ４２は、ＣＣＤ撮像素子２０の駆動を制御するための各種のタイミングパルスを生成するものである。タイミングジェネレータ４２は、全体制御部３０からの指令に基づいて、ＣＣＤ読出モードを、フルフレームモード、２倍速モード、８倍速モード、及びＡＦモードのうちから一のモードを設定して、ＣＣＤ撮像素子２０を駆動する。
【００３３】
図６はＣＣＤ読出モードを説明する図である。タイミングジェネレータ４２がフルフレームモードでＣＣＤ撮像素子２０を駆動制御する場合には、ＣＣＤ撮像素子２０からは横２５６０×縦１９２０の全画素信号が出力され、横２５６０×縦１９２０の画素数を有する画像Ｇ１が出力される。２倍速モードでＣＣＤ撮像素子２０を駆動制御する場合には、ＣＣＤ撮像素子２０からは縦方向に１／２間引き（具体的には、４ラインから２ラインを出力）して画像出力が行われ、横２５６０×縦９６０の画素数を有する画像Ｇ２が出力される。８倍速モードでＣＣＤ撮像素子２０を駆動制御する場合には、ＣＣＤ撮像素子２０からは縦方向に１／８間引きして画像出力が行われ、横２５６０×縦２４０の画素数を有する画像Ｇ３が出力される。さらに、ＡＦモードでＣＣＤ撮像素子２０を駆動制御する場合には、ＣＣＤ撮像素子２０の中央部分に規定されるＡＦ用領域（図６の斜線領域）２０ａに対応する部分の画像出力が行われ、横２５６０×縦２７２の画素数を有するＡＦ用画像Ｇ４が出力される。
【００３４】
フルフレームモード時には、ＣＣＤ撮像素子２０からの読み出しフレームレートは３．７５ｆｐｓとなる。そしてフルフレームモード以外のモード時には、１フレームあたりのデータ量が削減されるので、フレームレートを上げることができ、２倍速モード時には７．４９ｆｐｓ、８倍速モード時には２９．９７ｆｐｓとなる。
【００３５】
ＣＣＤ撮像素子２０から各読出モードに基づいて出力される画像信号は信号処理回路２１に与えられ、信号処理回路２１において画像信号（アナログ信号）に対して所定のアナログ信号処理が施される。信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３６】
Ａ／Ｄ変換器２２は、画像信号の各画素信号を１２ビットのデジタル信号に変換するものである。Ａ／Ｄ変換器２２は、全体制御部３０から入力されるＡ／Ｄ変換用のクロックに基づいて各画素信号（アナログ信号）を１２ビットのデジタル信号に変換する。
【００３７】
ＷＢ（ホワイトバランス）回路２３は、Ｒ，Ｇ，Ｂの各色成分のレベル変換を行うものである。ＷＢ回路２３は、全体制御部３０で記憶されるレベル変換テーブルを用いてＲ，Ｇ，Ｂの各色成分のレベルを変換する。なお、レベル変換テーブルの各色成分のパラメータ（特性の傾き）は全体制御部３０により、オートまたはマニュアルで、撮影画像毎に設定される。γ補正回路２４は、画素データの階調を補正するものである。
【００３８】
色補正部２５は、γ補正回路２４から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値Ｙが得られることになる。
【００３９】
解像度変換部２６は、ＣＣＤ撮像素子２０から得られる画像データに対して所定の解像度変換を行うものである。例えば、ＥＶＦ４又はＬＣＤ５に対してライブビュー表示を行う場合、解像度変換部２６はＥＶＦ４又はＬＣＤ５の表示画素数に適合した横３２０×縦２４０の画素数を有する画像データを生成する。また、デジタルカメラ１に表示装置２が接続されている場合には、表示装置２の表示解像度に適合した画素数を有する画像データを生成する。
【００４０】
ＡＦ評価値演算部２７は、ＡＦ時に、ＡＦモードで得られる画像Ｇ４に基づいて、コントラスト方式の自動合焦制御を行うための評価値演算動作を行う。例えば、水平方向に隣接する２画素間での差分絶対値を求め、画像Ｇ４における差分絶対値の総和がＡＦ用評価値として算出される。そしてＡＦ評価値演算部２７において算出されるＡＦ用評価値は全体制御部３０へと出力され、ＡＦ制御が行われる。
【００４１】
測光演算部２８は、解像度変換部２６から出力されるライブビュー用の画像データを複数のブロックに分割し、各ブロックの代表輝度値に基づいてＡＥ用評価値を算出する。そして測光演算部２８において算出されるＡＥ用評価値は全体制御部３０へと出力され、全体制御部３０における自動露光制御に用いられる。
【００４２】
表示用画像メモリ４３はＥＶＦ４、ＬＣＤ５、又は表示装置２に表示されるべき表示用画像データを記憶するメモリであり、表示用画像メモリ４３に画像が格納されることにより、ＥＶＦ４、ＬＣＤ５、又は表示装置２における画像表示が可能になる。
【００４３】
表示切替部４８はライブビュー表示時、アフタービュー表示時、又は再生表示時において、表示用画像メモリ４３に格納される表示用画像の出力先を切り替えるものであり、表示装置２が接続端子１５に接続されている場合には表示装置２に表示用画像を出力し、表示装置２が接続端子１５に接続されていない場合にはデジタルカメラ１の背面に設けられたＥＶＦ４又はＬＣＤ５に表示用画像を出力する。
【００４４】
通信回路４９は接続端子１５に表示装置２が接続されている場合に表示装置２とのデータ通信を行う回路であり、表示用画像は通信回路４９のデータ送信機能によって表示装置２に送出される。また通信回路４９には検知回路４９ａが設けられており、検知回路４９ａは表示装置２の接続状態を検知するとともに、表示装置２から受信する信号に基づいて表示装置２の映像フォーマット（表示解像度）を検知する。検知回路４９ａにて検知された表示装置２の映像フォーマット（表示解像度）は全体制御部３０に伝達される。
【００４５】
画像メモリ４４は、Ｓ２状態に応答して行われる撮影動作によってＣＣＤ撮像素子２０で取得され、各種画像処理が施された画像データを一時的に記憶するメモリである。画像メモリ４４は、少なくとも１フレーム分の記憶容量を有している。そして撮影動作後に画像のアフタービュー表示が行われる場合には、画像メモリ４４に格納された画像データからアフタービュー用の画像データが生成され、撮影画像を確認するための画像表示が行われる。また、ユーザによって記録指示が与えられた場合には、画像メモリ４４に格納された画像データから、撮影画像とサムネイル画像とを含む画像ファイルが作成され、メモリカード９０に転送されて、画像ファイルの記録保存が行われる。
【００４６】
カードインタフェース（カードＩ／Ｆ）４７は、デジタルカメラ１側面の挿入装着部に対して装着されるメモリカード９０への画像データの書込み及び読出しを行うためのインタフェースである。メモリカード９０に対する画像ファイルの読み書き時及びメモリカード９０からの画像ファイルの読み出し時には、圧縮・伸張部４６において例えばＪＰＥＧ方式で画像データの圧縮処理又は伸張処理が行われる。メモリカード９０は画像ファイルだけでなく、制御プログラムも記録することができ、例えば、カードＩ／Ｆ４７を介して、メモリカード９０等の記録媒体に記録される制御プログラムを、全体制御部３０のＲＡＭ３０ａ又はＲＯＭ３０ｂ内に取り込むことができる。そして全体制御部３０においてそのプログラムが実行されることにより、後述する各種機能が実現される。
【００４７】
操作部４５は、上述したメニューボタン６、コントロールボタン７、シャッタボタン９、ファンクション操作部１１、モード切替えダイアル１２、切替ボタン１３等を含む操作部であり、ユーザがデジタルカメラ１の設定状態を変更操作する際、撮影操作を行う際、再生操作を行う際等に用いられる。
【００４８】
全体制御部３０は内部にＲＡＭ３０ａ及びＲＯＭ３０ｂを備えたマイクロコンピュータによって構成され、マイクロコンピュータがＲＯＭ３０ｂに格納された所定のプログラムを実行することにより、上記各部を統括的に制御する制御手段として機能する。なお、ＲＯＭ３０ｂは電気的にデータの書き換えが可能な不揮発性メモリで構成され、例えばメモリカード９０に格納されるプログラムをＲＯＭ３０ｂにインストールすることも可能なように構成される。
【００４９】
＜１−３．撮影モード時の動作＞
次に、上記構成のデジタルカメラ１における撮影モード時の動作について説明する。図７乃至図１１は撮影モード時におけるデジタルカメラ１の処理シーケンスを示すフローチャートである。
【００５０】
まず、撮影モードに移行すると、デジタルカメラ１ではライブビュー表示のための処理（ステップＳ１０）が行われる。ライブビュー表示処理の詳細は図８及び図９に示すフローチャートである。ライブビュー表示処理に移行すると、全体制御部３０は表示装置２の接続状態又は映像フォーマットの変更の有無を検知する（ステップＳ１０１）。ここでデジタルカメラ１に対する表示装置２の接続状態又は表示装置２の映像フォーマットに変更があった場合には、ステップＳ１０２に進み、それらの変更がなかった場合にはステップＳ１０８に進む。ただし、撮影モードへの移行時に最初にステップＳ１０１が実行される場合は常にステップＳ１０２に進む。
【００５１】
ステップＳ１０２では、デジタルカメラ１に表示装置２が接続されているか否かを判断し、表示装置２が接続されている場合にはステップＳ１０３に進み、接続されていない場合にはステップＳ１０６に進む。
【００５２】
デジタルカメラ１に表示装置が接続されている場合、全体制御部３０は表示装置２の映像フォーマットを確認する（ステップＳ１０３）。そして表示装置２の映像フォーマットが１１２５ｉ又は１１２５ｐである場合には、ＣＣＤ読出モードがフルフレームモードに設定される（ステップＳ１０４）。また、表示装置２の映像フォーマットが７５０ｐである場合には、ＣＣＤ読出モードが２倍速モードに設定され（ステップＳ１０５）、５２５ｉ又は５２５ｐである場合は、８倍速モードに設定される（ステップＳ１０６）。また、デジタルカメラ１に表示装置２が接続されていない場合も、ステップＳ１０６においてＣＣＤ読出モードが８倍速モードに設定される。
【００５３】
そしてステップＳ１０７に進み、全体制御部３０は解像度変換部２６における処理内容を決定する。
【００５４】
ＣＣＤ読出モードとしてフルフレームモードが設定された場合には、１９６０ライン分の画像データがＣＣＤ撮像素子２０から出力され、このうち１９２０ライン分が表示用に用いられる。このため、解像度変換処理において、横２５６０×縦１９２０の画像を、横１４４０×縦１０８０の画素数を有する画像に変換するための処理内容が決定される。
【００５５】
また、ＣＣＤ読出モードとして２倍速モードが設定された場合には、９８０ライン分の画像データがＣＣＤ撮像素子２０から出力され、このうち９６０ライン分の画像データが表示用に用いられる。このため、解像度変換処理において、横２５６０×縦９６０の画像を、横９６０×縦７２０の画素数を有する画像に変換するための処理内容が決定される。
【００５６】
また、表示装置２が接続され、ＣＣＤ読出モードとして８倍速モードが設定された場合には、２４５ラインの画像データがＣＣＤ撮像素子２０から出力され、このうち２４０ライン分が表示用に用いられる。このため、解像度変換処理において、横２５６０×縦２４０の画像を、横６４０×縦４８０の画素数を有する画像に変換するために、垂直方向には２倍に拡大するための解像度変換処理（補間処理）が決定され、水平方向には１／４倍に縮小するための解像度変換処理が決定される。
【００５７】
さらに、表示装置２が接続されておらず、ＣＣＤ読出モードとして８倍速モードが設定された場合にも、２４５ラインの画像データがＣＣＤ撮像素子２０から出力され、このうち２４０ライン分が表示用に用いられる。このため、解像度変換処理において、横２５６０×縦２４０の画像を、横３２０×縦２４０の画素数を有する画像に変換するために、水平方向のみについて１／８倍に縮小するための解像度変換処理が決定される。
【００５８】
このようにして決定された解像度変換処理の内容は、全体制御部３０から解像度変換部２６に指示される。
【００５９】
そして図９のステップＳ１０８に進み、表示用画像メモリ４３がクリアされる。
【００６０】
そしてデジタルカメラ１では、ステップＳ１０４〜Ｓ１０６のいずれかにおいて設定されたＣＣＤ読出モードでライブビュー表示用の画像撮影が行われる（ステップＳ１０９）。ここで得られた画像データは解像度変換部２６に与えられ、ステップＳ１０７で決定された解像度変換処理が実行される。
【００６１】
つまり、映像フォーマットが１１２５ｐ又は１１２５ｉの場合には、フルフレームモードで画像が取得され、横１４４０×縦１０８０の画素数を有する表示用画像が生成されることになり、このときのフレームレートは３．７５ｆｐｓとなる。また、映像フォーマットが７５０ｐの場合には、２倍速モードで画像が取得され、横９６０×縦７２０の画素数を有する表示用画像が生成され、フレームレートは７．４９ｆｐｓとなる。また、映像フォーマットが５２５ｐ若しくは５２５ｉの場合には、８倍速モードで画像が取得され、横６４０×縦４８０の画素数を有する表示用画像が生成され、フレームレートは２９．９７ｆｐｓとなる。さらに、表示装置２が接続されていない場合には、８倍速モードで画像が取得され、横３２０×縦２４０の画素数を有する表示用画像が生成され、フレームレートは２９．９７ｆｐｓである。
【００６２】
このようにして得られる表示用画像は、表示用画像メモリ４３に格納される（ステップＳ１１１）。これにより、解像度変換によって生成される表示用画像は、ＥＶＦ４、ＬＣＤ５又は表示装置２における表示対象画像（ライブビュー画像）となる。
【００６３】
そしてデジタルカメラ１に表示装置２が接続されているか否かが判断され（ステップＳ１１２）、表示装置２が接続されていない場合には表示用画像メモリ４３に格納されている表示用画像がＥＶＦ４又はＬＣＤ５に出力され、２９．９７ｆｐｓのフレームレートでデジタルカメラ１に設けられた表示デバイスにライブビュー表示が行われる（ステップＳ１１４）。
【００６４】
また、表示装置２が接続されている場合、表示用画像メモリ４３に格納されている表示用画像が表示装置２に出力され、デジタルカメラ１の外部に設けられた表示装置２でライブビュー表示が行われることになる（ステップＳ１１３）。このとき、表示装置２に表示される画像は、表示装置２の映像フォーマットに応じて生成され、表示装置２の表示解像度に適合した画像となっているので、表示装置２において高精細なライブビュー表示を行うことが可能である。なお、表示装置２の表示解像度が高くなるにつれて、表示フレームレートは低下することになる。
【００６５】
図７のフローチャートに戻り、ライブビュー表示（ステップＳ１０）が行われると、次に全体制御部３０はモード変換操作が行われたか否かを判断する（ステップＳ１１）。
【００６６】
モード変換操作が行われた場合にはステップＳ１７に進み、ステップＳ１０で表示したライブビュー画像を消去すべく表示用画像メモリ４３の内容がクリアされる。
【００６７】
これに対し、モード変更操作が行われなかった場合には、撮影モードにおける以後の動作を継続すべくステップＳ１２に進む。ステップＳ１２では、ユーザがシャッタボタン９を半押し操作してＳ１状態としたか否かが判断され、Ｓ１状態に移行した場合にはステップＳ１３の処理が行われる。
【００６８】
ステップＳ１３では、記録用の撮影動作を行うための準備動作、すなわち撮影準備動作が行われる。具体的には、自動合焦制御（ＡＦ）、自動露出制御（ＡＥ）、ホワイトバランス制御（ＷＢ）等が行われる。撮影準備動作が開始されると、ＣＣＤ読出モードは、ライブビュー表示（ステップＳ１０）において決定された読出モードと、ＡＦモードとが交互に切り替えられ、デジタルカメラ１においてはライブビュー画像とＡＦ用画像とが交互に生成されることになる。なお、ＡＦ用画像の取得時はＣＣＤ撮像素子２０からの読み出しレート（フレームレート）を上げることができる。
【００６９】
そしてＡＦ用画像が得られると、そのＡＦ用画像はＡＦ評価値演算部２７に与えられ、ＡＦ評価値演算部２７がＡＦ用評価値を求める。全体制御部３０はＡＦ用評価値に基づいてＡＦ制御を行う。
【００７０】
また、ライブビュー画像が得られると、そのライブビュー画像は測光演算部２８に与えられ、測光演算が行われる。測光演算部２８はライブビュー画像が入力されると、その画像を表示画像サイズにかかわらず縦１５×横２０の複数ブロックに分割する。例えばライブビュー画像が、横３２０×縦２４０の画像サイズを有する場合、各ブロックには１６×１６の画素が含まれる。そして測光演算部２８は各ブロックに含まれる複数の画素の輝度値を加算することにより、各ブロックの代表輝度値を算出する。そして各ブロックから得られる代表輝度値と、各ブロックに対応付けられる重み付け計数との積を求め、各ブロックについて得られる積を累積加算することでＡＥ用評価値を求める。
【００７１】
ところで、ライブビュー画像のサイズが異なる場合、各ブロックに含まれる画素数が異なるため、同一の明るさ状態であっても、上記のようにして求められる代表輝度値は異なる値となり、全体制御部３０では一定の評価基準でＡＥ用評価値を評価することができなくなる。
【００７２】
そこで、本実施形態の測光演算部２８は、ライブビュー画像の画像サイズが異なっても一定の評価基準が適用可能なように、代表輝度値を正規化することにより、ＡＥ用評価値を正規化した状態で出力するように構成される。
【００７３】
具体的には、ライブビュー画像が横３２０×縦２４０の画像サイズを有する場合は各ブロックから得られる代表輝度値を６４倍し、ライブビュー画像が横６４０×縦４８０の画像サイズを有する場合、各ブロックから得られる代表輝度値を１６倍することにより、ＡＥ用評価値を算出する。
【００７４】
ライブビュー画像が横９６０×縦７２０の画像サイズを有する場合、横２５６０×縦９６０の画像サイズを有する原画像から横１２８０×縦９６０の画素を生成し、これについて測光演算が適用される。そして各ブロックから得られる代表輝度値を４倍することにより、ＡＥ用評価値を算出する。
【００７５】
また、ライブビュー画像がフルフレームモードによって生成されている場合、横２５６０×縦１９２０の画像サイズを有する原画像に対して測光演算が適用され、各ブロックから得られる代表輝度値がそのまま利用されて、ＡＥ用評価値が算出される。
【００７６】
以上のような演算を行うことにより、各ブロックから得られる代表輝度値が正規化され、全体制御部３０ではライブビュー画像のサイズにかかわりなく、一定の評価基準でＡＥ用評価値を評価することが可能になり、効率的なＡＥ制御が可能になる。
【００７７】
ＷＢ制御はライブビュー画像に基づいて行われる。ＷＢ制御は上記測光演算における代表輝度値の代わりに、Ｒ，Ｇ，Ｂの各色信号を適用することにより、上記と同様の演算を適用することができる。なお、これらＡＥ制御やＷＢ制御はＳ１状態でなくともライブビュー中に適宜実行される。
【００７８】
なお、Ｓ１状態では、ライブビュー画像を生成する際に、ＣＣＤ読出モードを８倍速モードに変更してもよい。すなわち、ＡＦモードと８倍速モードとを交互に繰り返すことにより、撮影準備動作を行うのである。表示装置２の表示解像度にかかわらず、８倍速モードでライブビュー画像を生成することにより、Ｓ１状態に移行後はライブビュー表示のフレームレートを上げることが可能になり、被写体の動きを把握しやすくなるため、シャッタチャンスを逃すことなく撮影操作を行うことができる。この場合、解像度変換部２６においては、表示装置２の表示解像度に応じて補間処理が実行される。
【００７９】
Ｓ１状態における撮影準備動作は以上のように行われ、撮影準備動作が終了すると、ステップＳ１０に戻ることになる。そしてＳ１状態が継続される限り、ステップＳ１３の撮影準備動作が繰り返し実行される。
【００８０】
次に、ユーザがシャッタボタン９の全押し操作を行い、Ｓ２状態に移行すると、ステップＳ１４でＹＥＳと判断され、ステップＳ１５に進む。
【００８１】
Ｓ２状態に移行すると、記録用の画像撮影動作を行ってメモリカード９０に撮影画像を記録するための記録処理が行われる（ステップＳ１５）。
【００８２】
記録処理の詳細は図１０のフローチャートである。記録処理を開始すると、全体制御部３０は、まず、現在のＣＣＤ読出モードと解像度変換処理の内容とを一時的に記憶する（ステップＳ１２０）。そしてＣＣＤ読出モードを、フルフレームモードに設定変更し（ステップＳ１２２）、ユーザによって設定された記録解像度（記録画素数）に適合するように解像度変換処理の内容を決定する（ステップＳ１２３）。
【００８３】
そして露出制御を実行した後（ステップＳ１２４）、ＣＣＤ撮像素子２０から撮影画像データの読み出しを行う（ステップＳ１２５）。このとき解像度変換部２６では、ステップＳ１２３で決定された解像度変換処理が行われ、その結果得られる撮影画像データは画像メモリ４４に一時的に格納される。
【００８４】
上記の撮影動作が終了すると、全体制御部３０はＣＣＤ読出モード及び解像度変換処理を、ステップＳ１２０で記憶した状態に戻す（ステップＳ１２６）。
【００８５】
そして全体制御部３０は、画像メモリ４４に格納された撮影画像に基づいてアフタービュー表示を行う（ステップＳ１２７）。アフタービュー表示の詳細は図１１に示すフローチャートである。
【００８６】
アフタビュー表示が開始されると、デジタルカメラ１に表示装置２が接続されているか否かを判断し（ステップＳ１４０）、表示装置２が接続されている場合は表示装置２に対してアフタービュー表示を行うべく、ステップＳ１４１に進む。また、表示装置２が接続されていない場合には、デジタルカメラ１に設けられたＥＶＦ４又はＬＣＤ５に対してアフタービュー表示を行うべく、ステップＳ１４７に進む。
【００８７】
表示装置２が接続されている場合、全体制御部３０はまず表示装置２の映像フォーマット（表示解像度）を確認する（ステップＳ１４１）。また、画像メモリ４４に格納された撮影画像の画像サイズを確認し、全体制御部３０は、撮影画像サイズが表示装置２の表示解像度よりも小さいか否かを判断する（ステップＳ１４２）。そして撮影画像サイズが表示装置２の表示解像度よりも小さい場合には、撮影画像を拡大処理して表示解像度に適合させ、それを表示用画像メモリ４３に格納する。そして表示切替部４８及び通信回路４９の機能によって、表示用画像メモリ４３に格納された撮影画像を表示用画像として表示装置２に出力することによりアフタービュー表示を行う（ステップＳ１４３）。
【００８８】
ステップＳ１４２にてＮＯと判断された場合には、撮影画像サイズが表示装置２の表示解像度に等しいか否かを判断する（ステップＳ１４４）。そして撮影画像サイズが表示装置２の表示解像度に等しい場合には、撮影画像をそのまま表示用画像メモリ４３に格納する。そして表示切替部４８及び通信回路４９の機能によって、表示用画像メモリ４３に格納された撮影画像を表示用画像として表示装置２に出力することによりアフタービュー表示を行う（ステップＳ１４５）。
【００８９】
さらにステップＳ１４４にてＮＯと判断された場合には、撮影画像サイズが表示装置２の表示解像度よりも大きいこととなるため、全体制御部３０は、撮影画像を縮小処理して表示解像度に適合させ、それを表示用画像メモリ４３に格納する。そして表示切替部４８及び通信回路４９の機能によって、表示用画像メモリ４３に格納された撮影画像を表示用画像として表示装置２に出力することによりアフタービュー表示を行う（ステップＳ１４６）。
【００９０】
一方、デジタルカメラ１に表示装置２が接続されていない場合には、画像メモリ４４に格納された撮影画像から横３２０×縦２４０の画像サイズを有する縮小画像を生成し、それを表示用画像メモリ４３に格納する。そして表示切替部４８の機能によって、表示用画像メモリ４３に格納された縮小画像を表示用画像としてＥＶＦ４又はＬＣＤ５に出力することによりアフタービュー表示を行う（ステップＳ１４７）。
【００９１】
このようにアフタービュー表示の際には、アフタービュー表示を行う表示デバイスに適合したアフタービュー画像が生成され、特にデジタルカメラ１の外部に設けられる表示装置２にアフタービュー表示を行う場合に高精細なアフタービュー表示を行うことができる。
【００９２】
アフタービュー表示が終了すると、ステップＳ１２８（図１０）に進み、画像メモリ４４に格納された撮影画像データを記録するか否かの判断が行われる。この判断は、ユーザ操作に基づいて行われ、例えばアフタービュー表示を開始してから所定時間内にユーザが削除操作を行った場合にはＮＯと判断され、それ以外の場合はＹＥＳと判断される。
【００９３】
撮影画像データを記録する場合、全体制御部３０は、撮影画像のサムネイル画像を生成する（ステップＳ１２９）。このとき、サムネイル画像は、ＥＶＦ４及びＬＣＤ５の表示解像度に適合させて生成される。つまり、サムネイル画像は横３２０×縦２４０の画素数で構成される画像となる。
【００９４】
次に全体制御部３０はメモリカード９０に記録する際の画像ファイルを作成する（ステップＳ１３０）。図１２は画像ファイル５０のファイル構造を示す図である。図１２に示すように、画像ファイル５０はタグ情報を記録する領域５１と、サムネイル画像を記録する領域５２と、撮影画像を記録する領域５３とを有している。タグ情報は撮影条件に関する情報やコマ番号等を含む情報である。図１２に示すように、撮影画像を画像ファイル５０として記録することにより、撮影画像に関するサムネイル画像とタグ情報とを同時に管理することが可能になる。
【００９５】
そして画像ファイル５０が生成されると、全体制御部３０はメモリカード９０にアクセスして画像ファイル５０の記録処理を行う（ステップＳ１３１）。このとき、サムネイル画像データ及び撮影画像データは圧縮・伸張部４６にて画像圧縮が施される。
【００９６】
以上のようにして記録処理が終了する。そして図７に示すように、記録処理（ステップＳ１５）が終了すると、次の撮影動作を可能にするべく、ステップＳ１０に戻る。
【００９７】
このように撮影モード時においてデジタルカメラ１に表示装置２が接続されている場合、ライブビュー表示及びアフタービュー表示のいずれにおいても、表示装置２の表示解像度に適合するように表示用画像が生成される。したがって、ユーザがＥＶＦ４又はＬＣＤ５に表示される表示画像では細部の確認を行うことが困難な場合等に、ＥＶＦ４及びＬＣＤ５よりも高解像度表示が可能な表示装置２をデジタルカメラ１に接続すれば、表示装置２の表示解像度に適合した表示画像を視認することができ、画像の細部の状態を容易に確認することが可能になる。
【００９８】
特に、デジタルカメラ１は、ライブビュー表示時に、ライブビュー表示を行う表示装置の表示解像度を検知し、その表示解像度に応じてＣＣＤ撮像素子２０の読み出し方式を変更することができるように構成されている。このため表示解像度に適合するように、ＣＣＤ撮像素子２０から画像を取得することができ、表示装置の表示解像度を活かした高精細な画像表示が可能になる。
【００９９】
また、一般に、一定のフレームレートを維持しつつ、表示解像度を高くする場合、デジタルカメラ１の処理能力を上げる必要があり、消費電力増加やコストアップの要因となる。しかし、本実施形態のデジタルカメラ１では、表示解像度が所定解像度よりも高い場合、表示装置における表示フレームレートを低下させ、全体制御部３０はＣＣＤ撮像素子２０の読み出しレートを低下させるように構成されているため、消費電力の増加及びコストアップを抑制することが可能である。
【０１００】
また、デジタルカメラ１において撮影準備動作に移行すると、ＣＣＤ撮像素子２０の読み出しレートを上げることにより、撮影準備動作への移行後はライブビュー表示のフレームレートを上げることが可能になり、シャッタチャンスを逃すことなく撮影操作を行うことができる。
【０１０１】
また、ＡＦ時にはＣＣＤ撮像素子２０の読み出しレートを上げるため、ＡＦ制御の高速化に寄与し、デジタルカメラ１の操作性が向上する。
【０１０２】
また、デジタルカメラ１は、ＣＣＤ撮像素子２０から得られる画像に基づいて自動露出制御用のＡＥ用評価値を求めるように構成されており、ＣＣＤ撮像素子２０から得られる画像（又は、表示装置２における表示画素数）にかかわらず、ＡＥ用評価値が一定の評価基準で評価可能なように、ＡＥ用評価値を正規化するように構成されている。このため、ライブビュー表示を行うために、ＣＣＤ撮像素子２０から得られる画像の解像度が異なる場合であっても、常に一定の評価基準でＡＥ制御を行うことができるので、効率的なＡＥ制御が可能である。
【０１０３】
さらに、デジタルカメラ１は、撮影動作によって得られる撮影画像のサムネイル画像を、ＥＶＦ４又はＬＣＤ５の表示解像度に適合させて生成するように構成されているため、ＥＶＦ４又はＬＣＤ５においてサムネイル画像を表示する際に、画像の拡大処理や縮小処理は必要なく、効率的に画像表示を行うことが可能である。
【０１０４】
＜１−４．再生モード時の動作＞
次に、上記構成のデジタルカメラ１における再生モード時の動作について説明する。なお、再生モードにおいては上記デジタルカメラ１以外のデジタルカメラで撮影された画像再生を行うことも可能である。そのため、サムネイル画像のサイズは、横３２０×縦２４０よりも大きい場合もある。
【０１０５】
図１３乃至図１６は再生モード時におけるデジタルカメラ１の処理シーケンスを示すフローチャートである。
【０１０６】
再生モードに移行すると、全体制御部３０はメモリカード９０にアクセスし（ステップＳ２０）、メモリカード９０に格納された画像ファイルのうちから最もコマ番号の大きな画像ファイルを特定する（ステップＳ２１）。つまり、直近に撮影された画像ファイルが特定される。そして特定された画像ファイルに含まれる撮影画像及びサムネイル画像を抽出し、それらを画像メモリ４４に格納する（ステップＳ２２）。なお、撮影画像及びサムネイル画像に圧縮処理が施されている場合、圧縮・伸張部４６にて伸張処理を行った上で、画像メモリ４４に格納する。
【０１０７】
全体制御部３０はデジタルカメラ１に表示装置２が接続されているか否かを判断し（ステップＳ２３）、表示装置２が接続されている場合はステップＳ２４に、接続されていない場合はステップＳ２７にそれぞれ進む。
【０１０８】
デジタルカメラ１に表示装置２が接続されている場合、全体制御部３０は、表示装置の映像フォーマット（表示解像度）、画像メモリ４４に格納された撮影画像サイズ及びサムネイル画像サイズを確認する（ステップＳ２４）。そして表示装置２への画像出力処理が実行される（ステップＳ２５）。
【０１０９】
ステップＳ２５の詳細な処理内容を図１５のフローチャートに示す。まず、全体制御部３０は、表示装置２の表示解像度が撮影画像サイズよりも大きいか否かを判断する（ステップＳ２０１）。表示装置２の表示解像度が撮影画像サイズよりも大きい場合には、撮影画像を拡大処理して表示解像度に適合させ、それを表示用画像メモリ４３に格納する。そして表示切替部４８及び通信回路４９の機能によって、表示用画像メモリ４３に格納された拡大撮影画像を表示用画像として表示装置２に出力することにより再生表示を行う（ステップＳ２０２）。
【０１１０】
また、ステップＳ２０１にてＮＯと判断された場合には、表示装置２の表示解像度が撮影画像サイズと等しいか否かを判断する（ステップＳ２０３）。そして表示装置２の表示解像度が撮影画像サイズと等しい場合には、撮影画像をそのまま表示用画像メモリ４３に格納する。そして表示切替部４８及び通信回路４９の機能によって、表示用画像メモリ４３に格納された撮影画像を表示用画像として表示装置２に出力することにより再生表示を行う（ステップＳ２０４）。
【０１１１】
また、ステップＳ２０３にてＮＯと判断された場合には、表示装置２の表示解像度がサムネイル画像サイズよりも大きいか否かを判断する（ステップＳ２０５）。そして表示装置２の表示解像度がサムネイル画像サイズよりも大きい場合には、撮影画像を縮小処理して表示解像度に適合させ、それを表示用画像メモリ４３に格納する。そして表示切替部４８及び通信回路４９の機能によって、表示用画像メモリ４３に格納された縮小撮影画像を表示用画像として表示装置２に出力することにより再生表示を行う（ステップＳ２０６）。
【０１１２】
さらに、ステップＳ２０５にてＮＯと判断された場合には、表示装置２の表示解像度がサムネイル画像サイズと等しいか否かを判断する（ステップＳ２０７）。そして表示装置２の表示解像度がサムネイル画像サイズと等しい場合には、サムネイル画像をそのまま表示用画像メモリ４３に格納する。そして表示切替部４８及び通信回路４９の機能によって、表示用画像メモリ４３に格納されたサムネイル画像を表示用画像として表示装置２に出力することにより再生表示を行う（ステップＳ２０８）。
【０１１３】
また、ステップＳ２０７にてＮＯと判断された場合には、表示装置２の表示解像度がサムネイル画像サイズよりも小さいため、サムネイル画像を縮小処理して表示解像度に適合させ、それを表示用画像メモリ４３に格納する。そして表示切替部４８及び通信回路４９の機能によって、表示用画像メモリ４３に格納された縮小サムネイル画像を表示用画像として表示装置２に出力することにより再生表示を行う（ステップＳ２０９）。
【０１１４】
このように表示装置２への画像出力処理（ステップＳ２５）では、表示装置２の表示解像度に適合するように表示用画像が生成され、再生表示が行われる。特に、表示装置２の表示解像度がサムネイル画像サイズに等しい場合、若しくは表示装置２の表示解像度がサムネイル画像サイズよりも小さい場合には撮影画像から表示用画像を生成するのではなく、サムネイル画像を用いて再生表示が行われるので、表示用画像を生成する際の処理効率を向上させることが可能である。これは、サムネイル画像サイズが異なるデジタルカメラの画像を再生する場合においても有効であるため、汎用性が高い。
【０１１５】
そして表示装置２への画像出力処理（ステップＳ２５）が終了すると、ステップＳ２６（図１３）に進み、全体制御部３０は表示装置２の映像フォーマットが変更されたか否かを判断する。そして映像フォーマットが変更された場合にはステップＳ２４に戻り、表示装置２に対する再度の再生表示処理を行う。また、表示装置２の映像フォーマットが変更されていない場合には、ステップＳ３０（図１４）に進む。
【０１１６】
一方、ステップＳ２３においてデジタルカメラ１に表示装置が接続されていない場合（ＮＯと判断される場合）には、全体制御部３０は、画像メモリ４４に格納された撮影画像サイズ及びサムネイル画像サイズを確認する（ステップＳ２７）。そしてＥＶＦ４又はＬＣＤ５への表示処理が実行される（ステップＳ２８）。
【０１１７】
ステップＳ２８の詳細な処理内容を図１６のフローチャートに示す。まず、全体制御部３０は、ＥＶＦ４又はＬＣＤ５の表示画素数（本実施形態の場合、横３２０×縦２４０）がサムネイル画像サイズよりも大きいか否かを判断する（ステップＳ２１０）。本実施形態におけるデジタルカメラ１で撮影した画像ファイルを再生処理する場合には、ステップＳ２０１にてＹＥＳと判断される場合はないが、他のデジタルカメラ１で撮影した画像ファイルを再生処理する場合はステップＳ２０１でＹＥＳと判断される場合がある。
【０１１８】
そしてＥＶＦ４又はＬＣＤ５の表示画素数がサムネイル画像サイズよりも大きい場合には、撮影画像を縮小処理して表示解像度に適合させ、それを表示用画像メモリ４３に格納する。そして表示切替部４８の機能によって、表示用画像メモリ４３に格納された縮小撮影画像を表示用画像としてＥＶＦ４又はＬＣＤ５に出力することにより再生表示を行う（ステップＳ２１１）。
【０１１９】
また、ステップＳ２１０にてＮＯと判断された場合には、ＥＶＦ４又はＬＣＤ５の表示画素数がサムネイル画像サイズよりに等しいか否かを判断する（ステップＳ２１２）。本実施形態におけるデジタルカメラ１で撮影した画像ファイルを再生処理する場合には、ステップＳ２１２にてＮＯと判断される場合はないが、他のデジタルカメラ１で撮影した画像ファイルを再生処理する場合はステップＳ２１２でＮＯと判断される場合がある。
【０１２０】
そしてＥＶＦ４又はＬＣＤ５の表示画素数がサムネイル画像サイズに等しい場合には、サムネイル画像をそのまま表示用画像メモリ４３に格納する。そして表示切替部４８の機能によって、表示用画像メモリ４３に格納されたサムネイル画像を表示用画像としてＥＶＦ４又はＬＣＤ５に出力することにより再生表示を行う（ステップＳ２１３）。
【０１２１】
また、ステップＳ２１２にてＮＯと判断された場合には、ＥＶＦ４又はＬＣＤ５の表示画素数がサムネイル画像サイズよりも小さいため、サムネイル画像を縮小処理して表示解像度に適合させ、それを表示用画像メモリ４３に格納する。そして表示切替部４８の機能によって、表示用画像メモリ４３に格納された縮小サムネイル画像を表示用画像としてＥＶＦ４又はＬＣＤ５に出力することにより再生表示を行う（ステップＳ２１４）。
【０１２２】
このようにＥＶＦ４又はＬＣＤ５への表示処理（ステップＳ２８）では、ＥＶＦ４又はＬＣＤ５の表示解像度に適合するように表示用画像が生成され、再生表示が行われる。特に、デジタルカメラ１で撮影された画像ファイルを再生する場合には、サムネイル画像を用いてそのまま再生表示することができるため、再生時の処理効率を向上させることが可能である。
【０１２３】
そしてＥＶＦ４又はＬＣＤ５への表示処理（ステップＳ２８）が終了すると、ステップＳ３０（図１４）に進む。
【０１２４】
ステップＳ３０では、全体制御部３０はユーザによるコマ送り操作又はコマ戻し操作があったか否かを判断し、これらの操作があった場合にはステップＳ３１に進む。そしてメモリカード９０にアクセスし、指定されたコマ番号の画像ファイルを特定し（ステップＳ３１）、当該画像ファイルから撮影画像及びサムネイル画像を抽出して画像メモリ４４に格納する（ステップＳ３２）。その後、ステップＳ２３に戻り、再生表示処理を繰り返す。
【０１２５】
また、ステップＳ３０においてＮＯと判断された場合には、全体制御部３０はモード変更操作があったか否かを判断する（ステップＳ３３）。そしてモード変更操作も行われなかった場合はステップＳ２３に戻り、再生表示処理を繰り返す。これに対し、モード変更操作が行われた場合は、表示用画像メモリ４３をクリアして画像の再生表示状態を消去し（ステップＳ３４）、再生モードを終了する。
【０１２６】
上述の再生モードでは、再生表示において高精細な表示を可能にするために表示解像度よりも高解像度の画像を用いて表示用画像を生成するように構成される。その際、サムネイル画像を有効に利用して表示用画像が生成されるので、常に撮影画像から表示用画像を生成する場合に比べると、効率的な処理が可能なように構成されている。つまり、ＥＶＦ４やＬＣＤ５に再生表示する場合だけでなく、表示装置２において５２５ｉ又は５２５ｐの映像フォーマットが適用されている場合には、サムネイル画像を用いて表示用画像が生成されるので、撮影画像から表示用画像を生成するという、無駄な処理を回避できる。
【０１２７】
すなわち、デジタルカメラ１は、撮影画像と、その撮影画像のサムネイル画像とを含む画像ファイルに基づいて、画像の再生表示を行うように構成されており、デジタルカメラ１に対して表示装置２が接続された場合、表示装置２の表示解像度に基づいて、撮影画像及びサムネイル画像のうちから再生対象画像を選択し、表示用画像データを生成して出力するので、効率的な再生表示が可能である。
【０１２８】
また、撮影画像及びサムネイル画像の双方を画像メモリ４４に一旦記憶させ、表示装置２の表示解像度に基づいて画像メモリ４４から再生対象画像を選択して表示するので、例えば表示装置２の表示解像度が変更された場合であっても、再度画像ファイルにアクセスする必要がなくなり、表示解像度の調整をスムーズに行うことが可能である。
【０１２９】
さらに、表示装置２の表示解像度に基づいて再生対象画像に対する解像度変換処理を施すことにより、表示解像度に適合した表示用画像データを生成するが可能であり、表示装置２における再生表示を最適な状態で行うことができる。
【０１３０】
＜２．第２の実施の形態＞
次に、再生モードにおいて、上記とは異なる処理を行う場合を例示する。上記第１の実施の形態における再生モードでは、ファイルから撮影画像データを撮影時の画素数で画像メモリ４４に予め格納しておき、その後、再生サイズに応じて解像度変換を施す場合を例示した。本実施形態は、これとは異なり、画像ファイルに含まれる撮影画像データを伸張し、画像メモリ４４に格納する際に、再生サイズに応じた解像度変換を施す場合を例示する。なお、デジタルカメラ１等の構成は上述したものと同様である。
【０１３１】
図１７乃至図２０は本実施形態における再生モード時における処理を示すフローチャートである。
【０１３２】
再生モードに移行すると、全体制御部３０はメモリカード９０にアクセスし（ステップＳ４０）、メモリカード９０に格納された画像ファイルのうちから最もコマ番号の大きな画像ファイルを特定する（ステップＳ４１）。つまり、直近に撮影された画像ファイルが特定される。そして特定された画像ファイルに含まれる撮影画像のサイズ及びサムネイル画像のサイズを確認する（ステップＳ４２）。
【０１３３】
全体制御部３０はデジタルカメラ１に対する表示装置２の接続状態を確認し、接続されている場合はその映像フォーマットの確認を行う（ステップＳ４３）。そして表示用画像の生成処理（ステップＳ４４）に進む。
【０１３４】
ステップＳ４４の詳細な処理内容を図１８及び図１９のフローチャートに示す。まず、全体制御部３０は、デジタルカメラ１に表示装置２が接続されているか否かを判断する（ステップＳ３０１）。表示装置２が接続されている場合には、ステップＳ３０２に進み、接続されていない場合にはステップＳ３１１（図１９）に進む。
【０１３５】
デジタルカメラ１に表示装置２が接続されている場合には、表示装置２の表示解像度が撮影画像サイズよりも大きいか否かを判断する（ステップＳ３０２）。表示装置２の表示解像度が撮影画像サイズよりも大きい場合には、画像ファイルに含まれる撮影画像を抽出して伸張処理を施し、さらに拡大処理して表示解像度に適合させ、それを表示用画像メモリ４３に格納する（ステップＳ３０３）。
【０１３６】
また、ステップＳ３０２においてＮＯと判断された場合には、表示装置２の表示解像度が撮影画像サイズに等しいか否かを判断する（ステップＳ３０４）。表示装置２の表示解像度が撮影画像サイズに等しい場合には、画像ファイルに含まれる撮影画像を抽出して伸張処理を施し、それをそのまま表示用画像メモリ４３に格納する（ステップＳ３０５）。
【０１３７】
また、ステップＳ３０４においてＮＯと判断された場合には、表示装置２の表示解像度がサムネイル画像サイズよりも大きいか否かを判断する（ステップＳ３０６）。表示装置２の表示解像度がサムネイル画像サイズよりも大きい場合には、画像ファイルに含まれる撮影画像を抽出して伸張処理を施し、さらに縮小処理して表示解像度に適合させ、それを表示用画像メモリ４３に格納する（ステップＳ３０７）。なお、サムネイル画像を拡大するのではなく、撮影画像を縮小することで、表示用画像を高精細に生成することができる。
【０１３８】
また、ステップＳ３０６においてＮＯと判断された場合には、表示装置２の表示解像度がサムネイル画像サイズに等しいか否かを判断する（ステップＳ３０８）。表示装置２の表示解像度がサムネイル画像サイズに等しい場合には、画像ファイルに含まれるサムネイル画像を抽出して伸張処理を施し、それをそのまま表示用画像メモリ４３に格納する（ステップＳ３０９）。
【０１３９】
さらに、ステップＳ３０８においてＮＯと判断された場合には、表示装置２の表示解像度がサムネイル画像サイズよりの小さいため、全体制御部３０は画像ファイルに含まれるサムネイル画像を抽出して伸張処理を施し、さらに縮小処理して表示解像度に適合させ、それを表示用画像メモリ４３に格納する（ステップＳ３１０）。
【０１４０】
一方、デジタルカメラ１に表示装置２が接続されていない場合には、サムネイル画像サイズが、ＥＶＦ４又はＬＣＤ５の表示画素数よりも小さいか否かを判断する（ステップＳ３１１）。そして小さい場合には、ステップＳ３０７に進み、画像ファイルに含まれる撮影画像を抽出して伸張処理を施し、さらに縮小処理してＥＶＦ４又はＬＣＤ５の表示解像度に適合させる処理が行われる。その結果得られる表示用画像が表示用画像メモリ４３に格納される。
【０１４１】
また、ステップＳ３１１でＮＯと判断された場合には、サムネイル画像サイズが、ＥＶＦ４又はＬＣＤ５の表示画素数に等しいか否かを判断する（ステップＳ３１２）。そして等しい場合には、ステップＳ３０９に進み、画像ファイルに含まれるサムネイル画像を抽出して伸張処理を施し、それがそのまま表示用画像メモリ４３に格納される。
【０１４２】
さらに、ステップＳ３１１でＮＯと判断された場合には、ステップＳ３１０に進み、画像ファイルに含まれるサムネイル画像を抽出して伸張処理を施し、さらに縮小処理してＥＶＦ４又はＬＣＤ５の表示解像度に適合させる処理が行われる。その結果得られる表示用画像が表示用画像メモリ４３に格納される。
【０１４３】
図１７に戻り、表示用画像が生成され、表示用画像メモリ４３に格納されると、次にステップＳ４５に進み、接続状態に応じた画像出力処理が行われる。図２０はステップＳ４５の詳細を示すフローチャートである。デジタルカメラ１に表示装置２が接続されているか否かを判断し（ステップＳ３２０）、接続されている場合には、表示切替部４８及び通信回路４９の機能によって、表示用画像メモリ４３に格納された表示用画像を表示装置２に出力することにより再生表示を行う（ステップＳ３２１）。一方、接続されていない場合には、表示切替部４８の機能によって、表示用画像メモリ４３に格納された表示用画像をＥＶＦ４又はＬＣＤ５に出力することにより再生表示を行う（ステップＳ３２２）。
【０１４４】
このようにして再生表示が行われることにより、表示解像度に適合した表示用画像を再生表示することが可能である。
【０１４５】
そしてステップＳ４６に進み、ユーザによるモード変更操作が行われたか否かを判断する。そしてモード変更操作が行われなかった場合はステップＳ４８に進む。これに対し、モード変更操作が行われた場合は、表示用画像メモリ４３をクリアして画像の再生表示状態を消去し（ステップＳ４７）、再生モードを終了する。
【０１４６】
ステップＳ４８では、全体制御部３０はユーザによるコマ送り操作又はコマ戻し操作があったか否かを判断し、これらの操作があった場合にはステップＳ４２に戻る。そしてメモリカード９０にアクセスし、指定されたコマ番号の画像ファイルに含まれる撮影画像のサイズ及びサムネイル画像のサイズを確認し、以後同様の処理を繰り返す。
【０１４７】
また、ユーザによる操作入力がなかった場合には、接続状態又は映像フォーマットの変更があったか否かを判断する（ステップＳ４９）。これらの変更があった場合には、ステップＳ４３に戻って同様の処理を繰り返す。一方、これらの変更がなかった場合には、表示用画像メモリ４３に格納された表示用画像をそのまま保持した状態でステップＳ４５に戻り、再生表示を継続的に実行する。
【０１４８】
本実施形態における再生モードでは、再生表示時の表示解像度を検知し、撮影画像及びサムネイル画像のサイズに基づいて、表示解像度に適合した表示用画像データを生成するように構成される。このため、再生時には撮影画像及びサムネイル画像を一時的に格納するための画像メモリ４４の利用効率が高くなる。
【０１４９】
＜３．第３の実施の形態＞
本実施形態においては、表示装置２がデジタルカメラ１に接続されている状態において、デジタルカメラ１側から表示装置２に対して映像フォーマットの変更を指示する場合を説明する。なお、デジタルカメラ１のその他の構成は、第１の実施の形態で説明したものと同様である。
【０１５０】
＜３−１．動作の概略＞
図２１は、デジタルカメラ１から表示装置２の映像フォーマットを変更する場合の撮影システム１００における連繋動作を示すフローチャートである。デジタルカメラ１の全体制御部３０は、表示装置２が接続されているか否かを判断する（ステップＳ４１０）。次いで、ユーザによるデジタルカメラ１のモード切替えダイアル１２の操作によるモード変更、または、再生モード下におけるコマ送り操作、設定モード下における各種設定変更操作等により、デジタルカメラ１の内部状態に変化があったか否かを判断する（ステップＳ４１１）。表示装置２が接続されていない場合や、デジタルカメラ１の内部状態に変化がない場合には、映像フォーマットを変更する必要はないので終了する。
【０１５１】
一方、デジタルカメラ１に状態変化があった場合には、デジタルカメラ１から表示装置２に対して現在の映像フォーマットの問い合わせが行われる（ステップＳ４１２）。具体的には映像フォーマットを問い合わせるための信号がデジタルカメラ１から表示装置２に対して送出される。
【０１５２】
表示装置２はこの問い合わせ信号を受信すると（ステップＳ４２０）、現在の映像フォーマットを示す映像フォーマット信号をデジタルカメラ１に送出する（ステップＳ４２１）。デジタルカメラ１は映像フォーマット信号を受信することにより、現在の表示装置２における表示解像度を識別することができる（ステップＳ４１３）。
【０１５３】
そして全体制御部３０は映像フォーマットを切り替える必要があるか否かを判断する（ステップＳ４１４）。例えば、ユーザがデジタルカメラ１の操作部の操作により映像フォーマットを変更するための操作を行った場合や、コマ送り操作により再生すべき撮影画像データのサイズが、６４０×４８０から２５６０×１９２０に変化した場合等に切り替えの必要性があると判断される。ここで映像フォーマットを切り替える必要性がない場合には処理が終了する。一方、切り替えの必要性がある場合には、デジタルカメラ１において解像度切替信号が生成され、表示装置２に対して送信される（ステップＳ４１５）。
【０１５４】
表示装置２は解像度切替信号を受信すると（ステップＳ４２２）、解像度切替信号によって示される表示解像度に切り替えるための処理（解像度切替処理）を行い（ステップＳ４２３）、解像度切替処理が完了すると解像度切替完了信号をデジタルカメラ１に対して送出する（ステップＳ４２４）。
【０１５５】
デジタルカメラ１は解像度切替完了信号を受信することにより、表示装置２における映像フォーマットが変更されたことを識別することができ（ステップＳ４１６）、その後、表示解像度に応じてデジタルカメラ１の設定状態を変更し、表示装置２へ送出する表示用画像データのフォーマットを変更する（ステップＳ４１７）。
【０１５６】
ステップＳ４１７では、撮影モードの場合、第１の実施の形態で既に述べた通り、表示装置２の表示解像度に応じたライブビュー表示用のＣＣＤ読出モード及び解像度変換処理の設定を行う。
【０１５７】
これに対し、再生モード及び設定モードの場合には、ＣＣＤ読出モードの設定変更を行う必要はないが、表示装置２の表示解像度に応じて解像度変換処理の設定が行われる。
【０１５８】
このような連繋動作により、デジタルカメラ１側から表示装置２の映像フォーマット（表示解像度）の変更を行うことが可能になる。
【０１５９】
＜３−２．撮影モード時の動作＞
デジタルカメラ１の状態変化に応じて、カメラ側から表示装置２に対して、映像フォーマットの変更を自動的に指示する具体例を説明する。図２２乃至図２４は撮影モード時におけるデジタルカメラ１の処理シーケンスを示すフローチャートである。
【０１６０】
まず、撮影モードに移行すると、デジタルカメラ１ではライブビュー表示のための処理（ステップＳ６０）が行われる。ライブビュー表示処理の詳細は図２３に示すフローチャートである。ライブビュー表示処理に移行すると、全体制御部３０はファンクション操作部１１のユーザ操作によって、ピント確認モードを開始するか否かを判断する（ステップＳ５０１）。
【０１６１】
ピント確認モードとは、例えばＡＦ制御において合焦状態に近づいた時やＭＦ設定時等に、ユーザが画像の合焦状態を正確に確認するためのモードであり、ピント確認モードの設定が有効に設定されている場合に動作するモードである。
【０１６２】
そしてピント確認モードを開始する場合には、全体制御部３０は表示装置２の映像フォーマットを１１２５ｉ（又は１１２５ｐ）に変更するための解像度切替信号を生成し、それを表示装置２に送信することで、表示装置２の表示解像度を高解像度に変更する（ステップＳ５０２）。
【０１６３】
また、ステップＳ５０１にてＮＯと判断された場合には、ピント確認モードを終了させるか否かを判断する（ステップＳ５０３）。そしてピント確認モードを終了させる場合には、全体制御部３０は表示装置２の映像フォーマットを５２５ｉ（又は５２５ｐ）に変更するための解像度切替信号を生成し、それを表示装置２に送信することで、表示装置２の表示解像度を低解像度に変更する（ステップＳ５０４）。
【０１６４】
ステップＳ５０３にてＮＯと判断された場合には、全体制御部３０はメニューボタン６が押下操作されたか否かを判断する（ステップＳ５０５）。そしてメニューボタン６が押下操作された場合には、映像フォーマットを変更するためのメニュー画面をＥＶＦ４又はＬＣＤ５に表示させる（ステップＳ５０６）。このときＥＶＦ４又はＬＣＤ５に表示されるメニュー画面は、例えば図２５に示すような画面となる。なお、メニュー画面に一覧表示される映像フォーマットは、表示装置２において適用可能な映像フォーマットである。そしてユーザはコントロールボタン７を操作することにより、複数の映像フォーマットのうちから一の映像フォーマットを選択し（ステップＳ５０７）、全体制御部３０はユーザによって選択された映像フォーマットに変更すべく、解像度切替信号を生成し、それを表示装置２に送信する（ステップＳ５０８）。これにより、ユーザが所望する表示解像度が、表示装置２において有効な状態に設定される。
【０１６５】
また、ステップＳ５０５にてＮＯと判断された場合には、全体制御部３０は被写体が低輝度であるか否かを判断する（ステップＳ５０９）。例えば、それ以前にＣＣＤ撮像素子２０から得られた画像の平均輝度が所定値よりも小さいか否かを判断すること等により、被写体が低輝度であるか否かが判断される。
【０１６６】
そして被写体が低輝度であると判断された場合には、ＣＣＤ撮像素子２０からライブビュー表示のために取得される画像に対して画素加算処理を実行する（ステップＳ５１０）。すなわち、隣接する複数の画素から得られる信号を加算することにより、低輝度状態を解消して、高輝度な画像を生成するのである。このため、画素加算処理を行って得られる画像の解像度はＣＣＤ撮像素子２０から得られる画像に比して低下する。
【０１６７】
そこで画素加算処理を行った後、全体制御部３０は表示装置２の映像フォーマットを５２５ｉ（又は５２５ｐ）に変更するための解像度切替信号を生成し、それを表示装置２に送信することで、表示装置２の表示解像度を低解像度に変更する（ステップＳ５１１）。
【０１６８】
また、ステップＳ５０９にてＮＯと判断された場合には、映像フォーマットを変更するための状態変化が解消されたことになるので、それ以前にステップＳ５０７にて選択された映像フォーマットに戻すために、解像度切替信号を生成し、それを表示装置２に送信する（ステップＳ５１２）。これにより、表示装置２の表示解像度を元の状態に戻すことができる。
【０１６９】
ステップＳ５０２，Ｓ５０４，Ｓ５０８，Ｓ５１１，Ｓ５１２の処理が行われると、次に、ライブビュー表示のための画像取得と映像フォーマットに応じた表示データ生成処理とが行われ、表示用画像データが表示装置２に送信され（ステップＳ５１３）、表示装置２において、設定された表示解像度でのライブビュー表示が行われる。
【０１７０】
図２２のフローチャートに戻り、ライブビュー表示（ステップＳ６０）が行われると、次に全体制御部３０はモード変換操作が行われたか否かを判断する（ステップＳ６１）。
【０１７１】
モード変換操作が行われた場合にはステップＳ６７に進み、ステップＳ６０で表示したライブビュー画像を消去すべく表示用画像メモリ４３の内容がクリアされる。
【０１７２】
これに対し、モード変更操作が行われなかった場合には、撮影モードにおける以後の動作を継続すべくステップＳ６２に進む。ステップＳ６２では、ユーザがシャッタボタン９を半押し操作してＳ１状態としたか否かが判断され、Ｓ１状態に移行した場合にはステップＳ６３，Ｓ６４の処理が行われる。
【０１７３】
既述のように、Ｓ１状態に移行すると、自動合焦制御（ＡＦ）、自動露出制御（ＡＥ）、ホワイトバランス制御（ＷＢ）等の撮影準備動作（ステップＳ６４）が行われるが、ＣＣＤ読出モードは８倍速モードと、ＡＦモードとが交互に繰り返される。このため撮影準備動作に先だって、表示装置２の映像フォーマットを５２５ｉ（又は５２５ｐ）に変更すべく、解像度切替信号を生成し、それを表示装置２に送信する（ステップＳ６３）。これにより、表示装置２の表示解像度を低解像度に変更し、その上で映像フォーマットに対応する表示用画像データを送信する。
【０１７４】
そして撮影準備動作（ステップＳ６４）に進み、自動合焦制御（ＡＦ）、自動露出制御（ＡＥ）、ホワイトバランス制御（ＷＢ）等を実行する。なお、これらの具体的動作は上述したものと同様である。
【０１７５】
次に、ユーザがシャッタボタン９の全押し操作を行い、Ｓ２状態に移行すると、ステップＳ６５でＹＥＳと判断され、ステップＳ６６に進む。
【０１７６】
Ｓ２状態に移行すると、記録用の画像撮影動作を行ってメモリカード９０に撮影画像を記録するための記録処理が行われる（ステップＳ６６）。
【０１７７】
記録処理の詳細は図２４のフローチャートである。記録処理を開始すると、全体制御部３０は、まず、現在のＣＣＤ読出モードと解像度変換処理の内容とを一時的に記憶する（ステップＳ５２０）。そしてＣＣＤ読出モードを、フルフレームモードに設定変更し（ステップＳ５２１）、ユーザによって設定された記録解像度（記録画素数）に適合するように解像度変換処理の内容を決定する（ステップＳ５２２）。
【０１７８】
そして露出制御を実行した後（ステップＳ５２３）、ＣＣＤ撮像素子２０から撮影画像データの読み出しを行う（ステップＳ５２４）。このとき解像度変換部２６では、ステップＳ５２２で決定された解像度変換処理が行われ、その結果得られる撮影画像データは画像メモリ４４に一時的に格納される。
【０１７９】
上記の撮影動作が終了すると、全体制御部３０はＣＣＤ読出モード及び解像度変換処理を、ステップＳ５２０で記憶した状態に戻す（ステップＳ５２５）。
【０１８０】
そして全体制御部３０は、アフタービュー表示に先だって、表示装置２において高精細に撮影画像を表示可能とするべく、表示装置２の映像フォーマットを１１２５ｉ（又は１１２５ｐ）に変更するための解像度切替信号を生成し、それを表示装置２に送信することで、表示装置２の表示解像度を高解像度に変更し、その上で映像フォーマットに対応する表示用画像データを送信する（ステップＳ５２６）。
【０１８１】
その後、表示装置２において撮影画像に基づくアフタービュー表示が高解像度で行われる（ステップＳ５２７）。このため、ユーザは撮影画像の細部の状態も容易に確認することが可能である。
【０１８２】
そしてアフタービュー表示が終了すると、表示装置２における表示解像度を元の状態に戻すべく、解像度切替信号を生成し、それを表示装置２に送信する（ステップＳ５２８）。
【０１８３】
ステップＳ５２９に進み、画像メモリ４４に格納された撮影画像データを記録するか否かの判断が行われ、撮影画像データを記録する場合、全体制御部３０は、撮影画像のサムネイル画像を生成する（ステップＳ５３０）。このとき、サムネイル画像は、ＥＶＦ４及びＬＣＤ５の表示解像度に適合させて生成される。つまり、サムネイル画像は横３２０×縦２４０の画素数で構成される画像となる。
【０１８４】
そしてメモリカード９０に記録する際の画像ファイルが作成され（ステップＳ５３１）、メモリカード９０への記録処理が行われる（ステップＳ５３２）。
【０１８５】
以上のようにして記録処理が終了する。そして図２２に示すように、記録処理（ステップＳ６６）が終了すると、次の撮影動作を可能にすべく、ステップＳ６０に戻る。
【０１８６】
このようにデジタルカメラ１は、ユーザによる操作入力又はデジタルカメラ１の内部動作状態に応じて、表示装置２における表示解像度を変更するための信号を生成し、それを表示装置２に対して出力するように構成されており、デジタルカメラ１側から表示装置２の表示解像度を変更することができるようになっている。そして、デジタルカメラ１から表示装置２の表示解像度を変更した場合、変更後の表示解像度に適合するように表示用画像データを生成して、表示装置２に出力するように構成されるため、表示装置２に対して最適な状態で画像表示を行うことが可能である。
【０１８７】
特に、撮影準備動作への移行に応答して、表示装置２における表示解像度を低下させることで、フレームレートを上げることが可能となり、シャッタチャンスを逃がすことなく撮影操作を行うことが可能になる。
【０１８８】
また、自動合焦動作への移行に応答して、表示装置２における表示解像度を低下させることで、自動合焦動作時の負荷を軽減することもでき、効率的にＡＦ動作を行うことが可能である。
【０１８９】
また、被写体像の合焦状態を確立する必要がある場合（ピント確認モード時）に、表示装置２における表示解像度を上昇させることで、被写体像の合焦状態を正確に確認することが可能になる。
【０１９０】
また、表示装置２に対して撮影動作後のアフタービュー表示を行う際に、表示装置２における表示解像度を上昇させることで、撮影結果を細部まで正確に確認することができる。
【０１９１】
また、被写体輝度が所定輝度よりも低い場合に、表示装置２における表示解像度を低下させることで、低輝度状態を解消するための画素加算処理を行うことができ、暗い場合でも被写体の動き等を容易に確認することができる。
【０１９２】
＜３−３．動画記録モード時の動作＞
次に、動画記録モード時の動作について説明する。デジタルカメラ１は、動画記録を行う場合、動画像のサイズを選択可能なように構成され、例えば図２６に示すような動画像サイズ選択画面Ｐ１をＬＣＤ５等に表示し、ユーザがコントロールボタン７等を操作することにより、動画記録の際の画像サイズを選択設定することができる。なお、図２６では６４０×４８０の動画像サイズが選択された状態を示している。
【０１９３】
また、図２６に示すように、動画像サイズが１６０×１２０、３２０×２４０、及び６４０×４８０の場合には、記録される動画像のフレームレートは３０ｆｐｓとなり、９６０×７２０の場合は７．５ｆｐｓとなる。さらに１４４０×１０８０の場合は３．８ｆｐｓとなる。
【０１９４】
図２７は動画記録モード時の動作を示すフローチャートである。動画記録モード開始時には、上記のような動画像サイズ選択画面Ｐ１を参照しつつ、ユーザが予め動画像の記録サイズを設定する（ステップＳ９０）。そして全体制御部３０は、ユーザによって指定された動画記録の記録サイズに基づいて、表示装置２の映像フォーマットを変更する（ステップＳ９１）。全体制御部３０のＲＯＭ３０ｂには、下記表１に示すようなテーブルデータが格納されており、全体制御部３０はこのテーブルデータを参照することにより、動画像サイズに適合した映像フォーマット（表示解像度）を特定する。
【０１９５】
【表１】
2004128587.tif 000003
【０１９６】
例えば、図２６に示すように６４０×４８０の動画像サイズが選択された場合には、表示装置２の映像フォーマットを５２５ｉ（又は５２５ｐ）に変更するための解像度切替信号を生成し、それを表示装置２に送信することで、表示装置２の表示解像度を変更する。また、このときＣＣＤ読出モードは８倍速モードに変更され、その上で映像フォーマットに対応する表示用画像データを送信する。
【０１９７】
そしてデジタルカメラ１において設定された動画像サイズでの動画記録が開始される（ステップＳ９２）。例えば、ユーザがシャッタボタン９の全押し操作（Ｓ２状態）を継続する間、動画像記録が行われる。そして撮影される動画像はメモリカード９０に逐次記録されていくとともに、表示用画像が順次更新され、表示装置２にはライブビュー表示と同様に撮影中の動画像が表示される。
【０１９８】
そして動画記録が終了すると、ユーザによってモード変更操作が行われたか否かを判断し（ステップＳ９３）、モード変更操作が行われなかった場合はステップＳ９５に進む。これに対し、モード変更操作が行われた場合は、表示用画像メモリ４３をクリアして画像の表示状態を消去し（ステップＳ９４）、動画記録モードを終了する。
【０１９９】
ステップＳ９３にてＮＯと判断された場合には、全体制御部３０はメニューボタン６が押下操作されたか否かを判断する（ステップＳ９５）。そしてメニューボタン６が押下操作された場合には、動画像の記録サイズを変更するために動画像サイズ選択画面Ｐ１をＥＶＦ４又はＬＣＤ５に表示させる（ステップＳ９６）。そしてユーザはコントロールボタン７を操作することにより、複数の記録サイズのうちから一の記録サイズを選択し（ステップＳ９７）、全体制御部３０は動画像の記録サイズを変更する（ステップＳ９８）。そしてステップＳ９１に戻り、動画像の記録動作を繰り返す。
【０２００】
このように動画像記録の際には、動画像の記録サイズに応じて表示装置２の表示解像度が設定され、撮影中の動画像が表示装置２に表示されることになる。
【０２０１】
＜３−４．再生モード時の動作＞
次に、再生モード時の動作について説明する。図２８乃至図３０は再生モード時におけるデジタルカメラ１の処理シーケンスを示すフローチャートである。
【０２０２】
再生モードに移行すると、全体制御部３０はメモリカード９０にアクセスし、メモリカード９０に格納された画像ファイルのうちから最もコマ番号の大きな画像ファイルを特定する（ステップＳ７０）。そして特定された画像ファイルに含まれる撮影画像及びサムネイル画像を抽出する（ステップＳ７１）。そして、抽出した撮影画像及びサムネイル画像に対して伸張処理を施し、画像メモリ４４に格納する（ステップＳ７２）。
【０２０３】
全体制御部３０はデジタルカメラ１に表示装置２が接続されているか否かを判断し（ステップＳ７３）、表示装置２が接続されている場合はステップＳ７４に、接続されていない場合はステップＳ７６にそれぞれ進む。
【０２０４】
デジタルカメラ１に表示装置２が接続されている場合、全体制御部３０は、表示装置の映像フォーマット（表示解像度）、画像メモリ４４に格納された撮影画像サイズ及びサムネイル画像サイズを確認する（ステップＳ７４）。そして表示装置２への画像出力処理が実行される（ステップＳ７５）。
【０２０５】
ステップＳ７５の詳細な処理内容を図２９のフローチャートに示す。まず、全体制御部３０は、撮影画像の縦方向サイズが７２０画素よりも大きいか否かを判断する（ステップＳ６０１）。そして撮影画像の縦方向サイズが７２０画素よりも大きい場合には、表示装置２において高精細に撮影画像を表示可能とすべく、表示装置２の映像フォーマットを１１２５ｉ（又は１１２５ｐ）に変更するための解像度切替信号を生成し、それを表示装置２に送信することで、表示装置２の表示解像度を高解像度に変更する（ステップＳ６０２）。
【０２０６】
また、ステップＳ６０１にてＮＯと判断された場合には、撮影画像の縦方向サイズが４８０画素よりも大きく、かつ、７２０画素未満であるか否かを判断する（ステップＳ６０３）。そして撮影画像の縦方向サイズが４８０画素よりも大きく、かつ、７２０画素未満である場合には、表示装置２の映像フォーマットを７５０ｐに変更するための解像度切替信号を生成し、それを表示装置２に送信することで、表示装置２の表示解像度を変更する（ステップＳ６０４）。
【０２０７】
また、ステップＳ６０３にてＮＯと判断された場合には、撮影画像の縦方向サイズが４８０画素未満であるため、表示装置２の映像フォーマットを５２５ｉ（又は５２５ｐ）に変更するための解像度切替信号を生成し、それを表示装置２に送信することで、表示装置２の表示解像度を低解像度に変更する（ステップＳ６０５）。
【０２０８】
そしてステップＳ６０２，Ｓ６０４，Ｓ６０５にて、撮影画像サイズに応じて表示装置２の解像度変換が行われた後、それぞれの映像フォーマットに対応した表示用画像を生成して表示装置２に出力するための処理が行われる（ステップＳ６０６）。
【０２０９】
一方、図２８のステップＳ７３において、デジタルカメラ１に表示装置が接続されていない場合（ＮＯと判断される場合）には、全体制御部３０は、画像メモリ４４に格納された撮影画像サイズ及びサムネイル画像サイズを確認する（ステップＳ７６）。そしてＥＶＦ４又はＬＣＤ５への表示処理が実行される（ステップＳ７７）。なお、ステップＳ７７の処理の詳細は図１６のフローチャートに示したものと同様である。
【０２１０】
そしてステップＳ７８に進み、全体制御部３０はユーザによるコマ送り操作又はコマ戻し操作があったか否かを判断し、これらの操作があった場合には指定されたコマ番号の画像ファイルを特定し（ステップＳ７９）、ステップＳ７１に戻る。
【０２１１】
また、ユーザによるコマ変更操作入力がなかった場合には、ユーザによりスライドショー再生指示が与えられたか否かを判断する（ステップＳ８０）。ここでスライドショー再生指示が与えられた場合には、スライドショー処理（ステップＳ８１）に移行する。
【０２１２】
図３０はスライドショー処理の詳細を示すフローチャートである。全体制御部３０は、現在の映像フォーマットを一時的に記憶し（ステップＳ６１０）、その後、映像フォーマットを１１２５ｉ（又は１１２５ｐ）に変更するための解像度切替信号を生成し、それを表示装置２に送信することで、表示装置２の表示解像度を高解像度に変更する（ステップＳ６１１）。
【０２１３】
そしてメモリカード９０にアクセスしてコマ番号の最も大きな画像ファイルを特定する（ステップＳ６１２）。そして特定された画像ファイルから撮影画像を抽出し、伸張処理を施して画像メモリ４４に格納する（ステップＳ６１３）。そして映像フォーマット１１２５ｉの縦ライン数である１０８０ラインに適合させるように解像度変換処理を行う（ステップＳ６１４）。つまり、撮影画像サイズが１４４０×１０８０よりも小さい場合であっても拡大処理を行うことによって映像フォーマット１１２５ｉに対応した表示用画像データを生成する。この結果生成される表示用画像データは表示用画像メモリ４３に格納される。
【０２１４】
そして表示装置２に対して表示用画像データが出力され（ステップＳ６１５）、表示装置２に撮影画像に基づく再生画像が高解像度で表示される。
【０２１５】
メモリカード９０に記録されている全ての画像を表示したか否かが判断され（ステップＳ６１６）、全ての画像を表示していない場合には、次のコマ番号の画像ファイルが特定され（ステップＳ６１７）、ステップＳ６１３以降の処理が繰り返し実行される。
【０２１６】
また、全ての画像が表示された場合には、映像フォーマットをステップＳ６１０で記憶した元の状態に戻し、スライドショー処理を終了する。
【０２１７】
図２８に戻り、スライドショー処理が終了すると、次にモード変更操作が行われたか否かを判断する（ステップＳ８２）。そしてモード変更操作が行われなかった場合はステップＳ７３に戻り、同様の処理を繰り返す。これに対し、モード変更操作が行われた場合は、表示用画像メモリ４３をクリアして画像の再生表示状態を消去し（ステップＳ８３）、再生モードを終了する。
【０２１８】
このような再生モードでは、画像の再生表示を行う際に、再生対象画像のサイズに応じて、表示装置２における表示解像度を変更するため、再生対象画像を最適な状態で高精細に表示することが可能である。
【０２１９】
また、スライドショー再生を行う場合には、表示装置２における表示解像度を上げるように構成されるため、スライドショーとしての再生画像を高解像度で確認することができる。
【０２２０】
また、一般にスライドショー再生の表示更新間隔は数秒程度以上である場合が多く、高いフレームレートが要求されることはない。その一方、撮影画像サイズに応じて画像毎に映像フォーマットが更新されると、画面にちらつきが発生する。そのため、スライドショー再生のための表示用画像データの出力に先だって、予め表示装置２の表示解像度を上げておくことで、スライドショーの途中で表示画像にちらつきが生じることを防止することが可能である。また、フレームレートを低下させることができるので、拡大処理のために多大な負荷がかかることもない。
【０２２１】
さらに、スライドショー再生の終了後、表示装置２における表示解像度を、スライドショー前の元の状態に戻すため、スライドショー再生においては高解像度で再生画像を確認することができ、スライドショーが終了したときにはデジタルカメラ１の状態に応じた最適な表示状態に移行することができる。
【０２２２】
また、上記のように再生対象となる画像のサイズに応じて映像フォーマットを変更することにより、特に動画像の再生を行う場合に有益な効果が発揮される。
【０２２３】
例えば、動画像の記録サイズが３２０×２４０等のＶＧＡサイズ以下である場合、３２０×２４０の低解像度の画像を１４４０×１０８０等の高解像度の画像に補間して出力することも可能ではあるが、この場合、補間処理に負荷と時間がかかることとなり、動画像のコマ落ちが発生する可能性がある。つまり、動画像は３０ｆｐｓで記録されているにもかかわらず、再生スピードは８ｆｐｓ程度に低下する可能性がある。
【０２２４】
そのため、動画像の記録サイズが３２０×２４０等のＶＧＡサイズ以下の低解像度である場合には、動画像の再生表示を行う際には表示装置２の映像フォーマットが５２５ｉ等の低解像度に変更することで、補間処理を行わずに出力することが可能となり、表示の際にフレームレートが低下することを防止することが可能である。
【０２２５】
＜３−５．設定モード時の動作＞
次に設定モード時の動作について説明する。近年のデジタルカメラの多機能化に伴い、デジタルカメラ１における設定項目が著しく増加している。また、ユーザがデジタルカメラ１の設定を行う際には高いフレームレートが要求されることもない。そこで、表示装置２に対して設定画面を表示することによって、デジタルカメラ１の設定を行う時には、映像フォーマットは１１２５ｉに設定され、高解像度で設定画面の表示が行われるように構成される。
【０２２６】
図３１は、設定モード時における動作を示すフローチャートである。設定モードに移行すると、全体制御部３０は、映像フォーマットを１１２５ｉ（又は１１２５ｐ）に変更するための解像度切替信号を生成し、それを表示装置２に送信することで、表示装置２の表示解像度を高解像度に変更する（ステップＳ７０１）。
【０２２７】
そして全体制御部３０は映像フォーマット１１２５ｉに対応する高解像度の設定画面用画像を生成し、表示装置２に出力することで設定画面表示を行う（ステップＳ７０２）。設定画面は高解像度で表示されるため、一画面中に多項目を表示することができ、設定操作の際の画面変更を少なくすることが可能である。
【０２２８】
全体制御部３０はユーザによる設定操作が行われたか否かを判断し（ステップＳ７０３）、設定操作が行われた場合には設定内容をＲＯＭ３０ｂに書き込むことで設定内容に基づいて動作可能な状態にする（ステップＳ７０４）。ＲＯＭ３０ｂへの書き込み処理が終了すると、ステップＳ７０２に戻る。
【０２２９】
一方、設定操作が行われなかった場合、ユーザによりモード変更操作が行われたか否かを判断し（ステップＳ７０５）、モード変更操作が行われなかった場合はステップＳ７０２に戻り、同様の処理を繰り返す。これに対し、モード変更操作が行われた場合は、表示用画像メモリ４３をクリアして画像の再生表示状態を消去し（ステップＳ８３）、設定モードを終了する。
【０２３０】
このように設定モード時には、設定用の画面表示を高解像度で行うことによって、一画面中に多くの設定項目を表示することが可能となり、設定時の操作性が向上する。
【０２３１】
＜３−６．警告時の動作＞
次に警告時の動作について説明する。デジタルカメラ１においては、ユーザが誤った操作を行った場合、メモリカード９０の残り容量が低下した場合、又は、バッテリが減少した場合等に、警告表示が行われる。このとき、デジタルカメラ１に表示装置２が接続されている場合には、表示装置２に対しても警告表示を行うように構成される。
【０２３２】
デジタルカメラ１は、表示装置２に対して警告表示を行う際には、表示装置２における表示解像度を変更するための信号を出力しないように構成される。つまり、それ以前の表示解像度を維持したままで警告表示を行うのである。警告表示では映像フォーマットを変更する必要はなく、またその必要性も低いため、表示解像度を変更することなく警告表示を行うことで、無駄な処理を防止することができ、迅速な警告表示を行うことが可能になる。
【０２３３】
＜４．変形例＞
以上、本発明の実施の形態について説明したが、本発明は上記説明した内容のものに限定されるものではない。
【０２３４】
例えば、上記説明においては、表示装置２の映像フォーマットが５２５ｉ、５２５ｐ、７５０ｐ、１１２５ｉ、１１２５ｐの５種類の映像フォーマットに対応している場合を例示したが、これに限定されるものではなく、他の映像フォーマットの場合にもその表示解像度に適合させるように、上述した処理を行えばよい。
【０２３５】
また、上述した内容には以下の発明概念が含まれる。
【０２３６】
（１）　請求項１に記載のデジタルカメラにおいて、前記表示解像度が所定解像度よりも高い場合、前記表示画像出力手段は前記表示装置における表示フレームレートを低下させ、前記制御手段は前記撮像素子の読み出しレートを低下させることを特徴とするデジタルカメラ。
【０２３７】
（２）　上記（１）に記載のデジタルカメラにおいて、前記制御手段は、撮影準備動作に移行すると、前記撮像素子の読み出しレートを上げることを特徴とするデジタルカメラ。
【０２３８】
（３）　上記（１）に記載のデジタルカメラにおいて、前記制御手段は、自動合焦動作に移行すると、前記撮像素子の読み出しレートを上げることを特徴とするデジタルカメラ。
【０２３９】
（４）　請求項１に記載のデジタルカメラにおいて、前記表示装置は当該デジタルカメラに対して接続可能な外部表示装置であり、前記制御手段は、前記外部表示装置の前記表示解像度に応じて、前記撮像素子から読み出した画像データに対して解像度変換処理を行うことを特徴とするデジタルカメラ。
【０２４０】
（５）　ライブビュー表示を行うために、撮像素子から得られる画像を表示装置に対して出力するデジタルカメラであって、ライブビュー表示の際に、前記撮像素子から得られる画像に基づいて自動露出制御用の評価値を求める評価値算出手段と、前記表示装置における表示画素数にかかわらず、前記評価値が一定の評価基準で評価可能なように、前記評価値を正規化する評価値正規化手段と、
を備えるデジタルカメラ。
【０２４１】
（６）　請求項４に記載のデジタルカメラにおいて、前記表示画像生成手段は、前記撮影画像及び前記サムネイル画像のサイズに基づいて、前記表示解像度に適合するように前記画像ファイルから前記再生対象画像を選択することを特徴とするデジタルカメラ。
【０２４２】
（７）　請求項４に記載のデジタルカメラにおいて、前記画像データを記憶する記憶手段をさらに備え、前記表示画像生成手段は、前記撮影画像及び前記サムネイル画像の双方を前記記憶手段に記憶させ、前記表示解像度に基づいて前記記憶手段から前記再生対象画像を選択することを特徴とするデジタルカメラ。
【０２４３】
（８）　請求項４に記載のデジタルカメラにおいて、前記表示画像生成手段は、前記表示解像度に基づいて前記再生対象画像に解像度変換を施すことにより、前記表示用画像データを生成することを特徴とするデジタルカメラ。
【０２４４】
（９）　請求項５に記載のデジタルカメラにおいて、前記表示解像度変更手段は、撮影準備動作への移行に応答して、前記外部表示装置における前記表示解像度を低下させるための信号を、前記外部表示装置に対して出力することを特徴とするデジタルカメラ。
【０２４５】
（１０）　請求項５に記載のデジタルカメラにおいて、前記表示解像度変更手段は、自動合焦動作への移行に応答して、前記外部表示装置における前記表示解像度を低下させるための信号を、前記外部表示装置に対して出力することを特徴とするデジタルカメラ。
【０２４６】
（１１）　請求項５に記載のデジタルカメラにおいて、前記表示解像度変更手段は、被写体像の合焦状態を確立する必要がある場合に、前記外部表示装置における前記表示解像度を上昇させるための信号を、前記外部表示装置に対して出力することを特徴とするデジタルカメラ。
【０２４７】
（１２）　請求項５に記載のデジタルカメラにおいて、前記表示解像度変更手段は、前記外部表示装置に対して撮影動作後のアフタービュー表示を行う際に、前記外部表示装置における前記表示解像度を上昇させるための信号を、前記外部表示装置に対して出力することを特徴とするデジタルカメラ。
【０２４８】
（１３）　請求項５に記載のデジタルカメラにおいて、前記表示解像度変更手段は、被写体輝度が所定輝度よりも低い場合に、前記外部表示装置における前記表示解像度を低下させるための信号を、前記外部表示装置に対して出力することを特徴とするデジタルカメラ。
【０２４９】
（１４）　請求項５に記載のデジタルカメラにおいて、前記表示解像度変更手段は、動画像の撮影を行う際に、前記動画像のサイズに応じて、前記外部表示装置における前記表示解像度を変更するための信号を、前記外部表示装置に対して出力することを特徴とするデジタルカメラ。
【０２５０】
（１５）　請求項５に記載のデジタルカメラにおいて、前記表示解像度変更手段は、画像の再生表示を行う際に、再生対象画像のサイズに応じて、前記外部表示装置における前記表示解像度を変更するための信号を、前記外部表示装置に対して出力することを特徴とするデジタルカメラ。
【０２５１】
（１６）　上記（１５）に記載のデジタルカメラにおいて、前記再生対象画像は、動画像であることを特徴とするデジタルカメラ。
【０２５２】
（１７）　上記（１６）に記載のデジタルカメラにおいて、前記表示解像度変更手段は、前記再生対象画像が動画像である場合、前記外部表示装置における前記表示解像度を低下させるための信号を、前記外部表示装置に対して出力することを特徴とするデジタルカメラ。
【０２５３】
（１８）　請求項５に記載のデジタルカメラにおいて、前記表示解像度変更手段は、画像の再生表示を行う場合であって、スライドショー再生を行う場合、前記外部表示装置における前記表示解像度を上昇させるための信号を、前記外部表示装置に対して出力することを特徴とするデジタルカメラ。
【０２５４】
（１９）　上記（１８）に記載のデジタルカメラにおいて、前記表示解像度変更手段は、前記スライドショー再生のための前記表示用画像データの出力に先だって、前記信号を送出することを特徴とするデジタルカメラ。
【０２５５】
（２０）　請求項５に記載のデジタルカメラにおいて、前記表示解像度変更手段は、画像の再生表示を行う場合であってスライドショー再生を行う場合、前記外部表示装置における前記表示解像度を変更するための信号を前記外部表示装置に対して出力し、前記スライドショー再生の終了後、前記外部表示装置における前記表示解像度を元の状態に戻すための信号を前記外部表示装置に対して出力することを特徴とするデジタルカメラ。
【０２５６】
（２１）　請求項５に記載のデジタルカメラにおいて、前記表示解像度変更手段は、設定モードへの移行に伴って、前記外部表示装置における前記表示解像度を上昇させるための信号を、前記外部表示装置に対して出力することを特徴とするデジタルカメラ。
【０２５７】
（２２）　請求項５又は上記（９）乃至（２２）のいずれかに記載のデジタルカメラにおいて、前記表示解像度変更手段は、前記外部表示装置に対して警告表示を行う際には、前記外部表示装置における前記表示解像度を変更するための信号を出力しないことを特徴とするデジタルカメラ。
【０２５８】
（２３）　撮像素子に蓄積された電荷を読み出すことにより、画像データを取得するデジタルカメラと、前記デジタルカメラから表示用画像を入力し、前記表示用画像に基づいて画像表示を行う表示装置と、を備える撮影システムであって、前記デジタルカメラは、前記表示装置の表示解像度を検知し、前記表示解像度に応じて前記撮像素子の読み出し方式を変更することを特徴とする撮影システム。
【０２５９】
（２４）　撮像素子によって被写体を撮影することにより撮影画像を取得するデジタルカメラと、前記デジタルカメラから表示用画像を入力し、前記表示用画像に基づいて画像表示を行う表示装置と、を備える撮影システムであって、前記デジタルカメラは、画像を表示するための表示手段を備え、前記表示装置が接続された場合、前記表示装置の表示解像度に適合させて前記撮影画像から前記表示用画像を生成し、前記撮影画像の前記サムネイル画像を前記表示手段の表示解像度に適合させて生成する撮影システム。
【０２６０】
（２５）　撮像素子に蓄積された電荷を読み出すことにより、画像データを取得するデジタルカメラと、前記デジタルカメラから表示用画像を入力し、前記表示用画像に基づいて画像表示を行う表示装置と、を備える撮影システムであって、前記デジタルカメラは、撮影動作後、前記表示装置の表示解像度に適合させてアフタービュー表示用の画像データを生成し、前記表示装置に出力する撮影システム。
【０２６１】
（２６）　撮像素子に蓄積された電荷を読み出すことにより、画像データを取得するデジタルカメラと、前記デジタルカメラから表示用画像を入力し、前記表示用画像に基づいて画像表示を行う表示装置と、を備える撮影システムであって、前記デジタルカメラは、撮影動作時に、撮影画像と、前記撮影画像のサムネイル画像とを含む画像ファイルを記録する記録手段を備え、前記表示装置の表示解像度に基づいて、前記撮影画像及び前記サムネイル画像のうちから再生対象画像を選択し、表示用画像データを生成して出力する撮影システム。
【０２６２】
（２７）　表示解像度を変更可能な表示装置に対して、デジタルカメラが表示用画像を出力するように構成された撮影システムであって、前記デジタルカメラは、ユーザによる操作入力又は当該デジタルカメラの動作状態に応じて、前記表示装置における前記表示解像度を変更するための信号を、前記表示装置に対して出力するように構成されるとともに、前記表示装置に対して前記信号を出力した場合、前記信号によって規定される表示解像度に適合するように表示用画像データを生成して、前記表示装置に出力する撮影システム。
【０２６３】
（２８）　デジタルカメラ用のプログラムであって、前記デジタルカメラにインストールされ、前記デジタルカメラに設けられるマイクロコンピュータによって実行されることにより、前記デジタルカメラを請求項１乃至５のいずれかに記載のデジタルカメラとして機能させるプログラム。
【０２６４】
【発明の効果】
以上説明したように、請求項１に記載の発明によれば、表示装置の表示解像度を検知し、表示解像度に応じて撮像素子の読み出し方式を変更するように構成されるため、表示装置の表示解像度に適合するように、撮像素子からの画像取得を行うことができ、表示装置の表示解像度を活かした高精細な画像表示が可能になる。
【０２６５】
請求項２に記載の発明によれば、接続手段に対して外部表示装置が接続された場合、外部表示装置の表示解像度に適合させて表示用画像データを生成し、サムネイル画像を表示手段の表示解像度に適合させて生成するため、表示手段に対して画像表示を行う際には、サムネイル画像を用いて表示することができる。このため、画像の拡大処理や縮小処理は必要なく、効率的に画像表示を行うことが可能である。
【０２６６】
請求項３に記載の発明によれば、接続手段に対して外部表示装置が接続された場合、外部表示装置の表示解像度に適合させてアフタービュー表示用の画像データを生成するため、アフタービュー表示は外部表示装置の表示解像度を最大限に活かした状態で行われるので、画像の細部の状態を容易に確認することが可能になる。
【０２６７】
請求項４に記載の発明によれば、接続手段に対して外部表示装置が接続された場合、外部表示装置の表示解像度に基づいて、撮影画像及びサムネイル画像のうちから再生対象画像を選択し、表示用画像データを生成するため、再生表示の際の処理負担を軽減しつつ、最適な解像度で再生表示を行うことが可能になる。
【０２６８】
請求項５に記載の発明によれば、ユーザによる操作入力又はデジタルカメラの動作状態に応じて、外部表示装置における表示解像度を変更し、その場合、変更後の表示解像度に適合するように表示用画像データを生成して、外部表示装置に出力するため、常に最適な画像表示を行うことが可能である。
【図面の簡単な説明】
【図１】撮影システムの構成例を示す図である。
【図２】デジタルカメラの外観構成を示す正面図である。
【図３】デジタルカメラの外観構成を示す上面図である。
【図４】デジタルカメラの外観構成を示す背面図である。
【図５】デジタルカメラの内部構成を示すブロック図である。
【図６】ＣＣＤ読出モードを説明する図である。
【図７】撮影モード時におけるデジタルカメラの処理シーケンスを示すフローチャートである。
【図８】撮影モード時におけるデジタルカメラの処理シーケンスを示すフローチャートである。
【図９】撮影モード時におけるデジタルカメラの処理シーケンスを示すフローチャートである。
【図１０】撮影モード時におけるデジタルカメラの処理シーケンスを示すフローチャートである。
【図１１】撮影モード時におけるデジタルカメラの処理シーケンスを示すフローチャートである。
【図１２】画像ファイルのファイル構造を示す図である。
【図１３】再生モード時におけるデジタルカメラの処理シーケンスを示すフローチャートである。
【図１４】再生モード時におけるデジタルカメラの処理シーケンスを示すフローチャートである。
【図１５】再生モード時におけるデジタルカメラの処理シーケンスを示すフローチャートである。
【図１６】再生モード時におけるデジタルカメラの処理シーケンスを示すフローチャートである。
【図１７】第２の実施の形態における再生モード時の処理を示すフローチャートである。
【図１８】第２の実施の形態における再生モード時の処理を示すフローチャートである。
【図１９】第２の実施の形態における再生モード時の処理を示すフローチャートである。
【図２０】第２の実施の形態における再生モード時の処理を示すフローチャートである。
【図２１】デジタルカメラから表示装置の映像フォーマットを変更する場合の撮影システムにおける連繋動作を示すフローチャートである。
【図２２】第３の実施の形態における撮影モード時の処理シーケンスを示すフローチャートである。
【図２３】第３の実施の形態における撮影モード時の処理シーケンスを示すフローチャートである。
【図２４】第３の実施の形態における撮影モード時の処理シーケンスを示すフローチャートである。
【図２５】映像フォーマット選択画面を示す図である。
【図２６】動画像サイズ選択画面を示す図である。
【図２７】動画記録モード時の動作を示すフローチャートである。
【図２８】第３の実施の形態における再生モード時の処理シーケンスを示すフローチャートである。
【図２９】第３の実施の形態における再生モード時の処理シーケンスを示すフローチャートである。
【図３０】第３の実施の形態における再生モード時の処理シーケンスを示すフローチャートである。
【図３１】設定モード時における動作を示すフローチャートである。
【符号の説明】
１　デジタルカメラ
２　表示装置（外部表示装置）
３　ＥＶＦ（表示手段）
４　ＬＣＤ（表示手段）
１５　接続端子
２０　ＣＣＤ撮像素子
２６　解像度変換部
３０　全体制御部
４３　表示用画像メモリ
４４　画像メモリ
４８　表示切替部
４９　通信回路
４９ａ　検知回路
【図１】
2004128587.tif 000004
【図２】
2004128587.tif 000005
【図３】
2004128587.tif 000006
【図４】
2004128587.tif 000007
【図５】
2004128587.tif 000008
【図６】
2004128587.tif 000009
【図７】
2004128587.tif 000010
【図８】
2004128587.tif 000011
【図９】
2004128587.tif 000012
【図１０】
2004128587.tif 000013
【図１１】
2004128587.tif 000014
【図１２】
2004128587.tif 000015
【図１３】
2004128587.tif 000016
【図１４】
2004128587.tif 000017
【図１５】
2004128587.tif 000018
【図１６】
2004128587.tif 000019
【図１７】
2004128587.tif 000020
【図１８】
2004128587.tif 000021
【図１９】
2004128587.tif 000022
【図２０】
2004128587.tif 000023
【図２１】
2004128587.tif 000024
【図２２】
2004128587.tif 000025
【図２３】
2004128587.tif 000026
【図２４】
2004128587.tif 000027
【図２５】
2004128587.tif 000028
【図２６】
2004128587.tif 000029
【図２７】
2004128587.tif 000030
【図２８】
2004128587.tif 000031
【図２９】
2004128587.tif 000032
【図３０】
2004128587.tif 000033
【図３１】
2004128587.tif 000034